(57)【特許請求の範囲】
【請求項１】
電力設定方法であって、
ユーザ装置ＵＥが第１のチャネルを介して第１のネットワーク側装置に対してデータを送信するとともに、前記ＵＥが第２のチャネルを介して第２のネットワーク側装置に対してデータを送信する場合に、前記第１のチャネルが、別々に前記第２のチャネル及び第３のチャネルとオーバラップすることを判定するステップであって、前記第１のチャネルが位置付けられている第１のサブフレームｊの第１の部分と、前記第２のチャネルが位置付けられている第２のサブフレームｉとの間にオーバラップ部分が存在し、前記第１のサブフレームｊの前記第１の部分以外の第２の部分と、前記第３のチャネルが位置付けられている第３のサブフレームｉ＋１の第１の部分との間にオーバラップ部分が存在し、前記第３のサブフレームｉ＋１が前記第２のサブフレームｉの次のサブフレームであるとともに、前記第３のサブフレームｉ＋１が前記第２のネットワーク側装置に対してデータを送信するために使用される、ステップと、
前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てるステップであって、前記第１の送信電力が第１の電力上限値より小さいか又は第１の電力上限値に等しく、前記第１の送信電力と前記第２の送信電力の和が事前設定された第１のしきい値より小さいか又は第１のしきい値に等しいとともに、前記第３のサブフレームｉ＋１の第３の送信電力と前記第１の電力上限値の和が事前設定された第２のしきい値より小さいか又は第２のしきい値に等しい、ステップとを含む、方法。
【請求項２】
前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法が、
少なくとも前記第３のチャネルの優先順位及び前記第１のチャネルの前記優先順位に従って前記第３の送信電力を判定するステップと、
前記第２のしきい値及び前記第３の送信電力に従って前記第１の電力上限値を判定するステップとを更に含む、請求項１に記載の方法。
【請求項３】
前記ＵＥにより、第１の送信電力を前記第１のサブフレームｊの前記第１の部分、及び前記第１の部分以外の前記第２の部分に対して、そして第２の送信電力を前記第２のチャネルの前記第２のサブフレームｉに対して割り当てる前記ステップのまえに、当該方法が、
前記第３のチャネルの前記優先順位が第４のチャネルの前記優先順位より高いか又は第４のチャネルの前記優先順位に等しいと少なくとも判定するステップを更に含む、請求項１及び請求項２のいずれか一項に記載の方法。
【請求項４】
第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法が、
前記第１のネットワーク側装置がセカンダリネットワーク側装置ＳｅＮＢであると判定するステップと、
前記第２のネットワーク側装置がマスタネットワーク側装置ＭｅＮＢであると判定するステップとを更に含む、請求項１から請求項３のいずれか一項に記載の方法。
【請求項５】
少なくとも前記第３のチャネルの優先順位及び前記第１のチャネルの前記優先順位に従って前記第３の送信電力を判定する前記ステップのまえに、当該方法が、
前記第３のチャネルが第４のチャネルとオーバラップすることを判定するステップであって、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ステップを更に含み、
少なくとも前記第３のチャネルの優先順位及び前記第１のチャネルの前記優先順位に従って前記第３の送信電力を判定する前記ステップが、
前記第３のチャネルの前記優先順位及び前記第１のチャネルの前記優先順位に従って前記第３のサブフレームｉ＋１の前記第１の部分の送信電力を判定するステップと、
前記第３のチャネルの前記優先順位及び前記第４のチャネルの優先順位に従って前記第３のサブフレームｉ＋１の前記第２の部分の送信電力を判定するステップと、
前記第３のサブフレームｉ＋１の前記第１の部分の前記送信電力及び前記第３のサブフレームｉ＋１の前記第２の部分の前記送信電力に従って前記第３の送信電力を判定するステップであって、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ステップとを含む、請求項２に記載の方法。
【請求項６】
前記第１のサブフレームｊ及び前記第２のサブフレームｉが送信されたあとで、当該方法が、
前記ＵＥが第４のチャネルを介して前記第１のネットワーク側装置に対してデータを送信するとともに、前記ＵＥが前記第３のチャネルを介して前記第２のネットワーク側装置に対してデータを送信する場合に、前記第４のチャネルが、別々に前記第３のチャネル及び第５のチャネルとオーバラップすることを判定するステップであって、前記第４のチャネルが位置付けられている第４のサブフレームｊ＋１の第１の部分と、前記第３のサブフレームｉ＋１との間にオーバラップ部分が存在し、前記第４のサブフレームｊ＋１の前記第１の部分以外の第２の部分と、前記第５のチャネルが位置付けられている第５のサブフレームｉ＋２の第１の部分との間にオーバラップ部分が存在し、前記第５のサブフレームｉ＋２が前記第３のサブフレームｉ＋１の次のサブフレームであるとともに、前記第５のサブフレームｉ＋２が前記第２のネットワーク側装置に対してデータを送信するために使用される、ステップと、
前記第４のチャネルの優先順位及び前記第３のチャネルの優先順位に従って、第４の送信電力を前記第４のサブフレームｊ＋１の前記第１の部分及び前記第４のサブフレームｊ＋１の前記第２の部分に対して、そして実際の送信電力を前記第３のサブフレームｉ＋１に対して割り当てるステップであって、前記第４の送信電力が、第３の電力上限値より小さいか又は第３の電力上限値に等しく、前記実際の送信電力が、前記第２のしきい値と前記第１の電力上限値との間の差より小さいか又は差に等しく、前記第４の送信電力と前記実際の送信電力の和が事前設定された第５のしきい値より小さいか又は第５のしきい値に等しいとともに、前記第５のサブフレームｉ＋２の第５の送信電力と前記第３の電力上限値の和が事前設定された第６のしきい値より小さいか又は第６のしきい値に等しい、ステップとを更に含む、請求項１に記載の方法。
【請求項７】
前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法が、
前記第３のチャネルが第４のチャネルとオーバラップすることを判定するステップであって、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ステップと、
前記第３のチャネルの優先順位及び前記第１のチャネルの前記優先順位に従って前記第３のサブフレームｉ＋１の前記第１の部分の送信電力を判定するステップと、
前記第３のチャネルの前記優先順位及び前記第４のチャネルの優先順位に従って前記第３のサブフレームｉ＋１の前記第２の部分の送信電力を判定するステップと、
前記第３のサブフレームｉ＋１の前記第１の部分の前記送信電力及び前記第３のサブフレームｉ＋１の前記第２の部分の前記送信電力に従って前記第３の送信電力を判定するステップであって、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ステップとを更に含む、請求項１に記載の方法。
【請求項８】
前記第３のサブフレームｉ＋１の前記第１の部分の前記送信電力及び前記第３のサブフレームｉ＋１の前記第２の部分の前記送信電力に従って前記第３の送信電力を判定する前記ステップのまえに、当該方法が、
前記第３のチャネルの前記優先順位及び前記第４のチャネルの前記優先順位に従って前記第４の送信電力を判定するステップと、
前記第３のしきい値及び前記第４の送信電力に従って前記第２の電力上限値を判定するステップとを更に含む、請求項７に記載の方法。
【請求項９】
第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法が、
前記ＵＥの現在のモードが非同期デュアルコネクティビティＤＣモードであることを判定するステップを更に含む、請求項１及び請求項２のいずれか一項に記載の方法。
【請求項１０】
前記ＵＥにより、第１の送信電力を前記第１のサブフレームｊの前記第１の部分、及び前記第１の部分以外の前記第２の部分に対して、そして第２の送信電力を前記第２のチャネルの前記第２のサブフレームｉに対して割り当てる前記ステップのまえに、当該方法が、
前記第１のネットワーク側装置又は前記第２のネットワーク側装置により送信された参照時間ウィンドウ情報を前記ＵＥにより受信するステップであって、前記参照時間ウィンドウ情報が、前記第１の送信電力及び前記第２の送信電力の割り当ての間に参照として使用される必要があるサブフレームを判定するために使用される、ステップを更に含む、請求項１及び請求項２のいずれか一項に記載の方法。
【請求項１１】
前記第１のチャネルの前記優先順位が前記第２のチャネルの前記優先順位より高い場合に、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップが、
前記第１のサブフレームｊの所要電力が前記第１の電力上限値より大きいかどうかを判定するステップと、
前記所要電力が前記第１の電力上限値より大きい場合に、前記所要電力を圧縮して、前記第１の電力上限値より小さいか又は前記第１の電力上限値に等しい前記第１の送信電力を獲得する、若しくは前記第１の電力上限値を前記第１の送信電力として判定するステップか、又は、
前記所要電力が前記第１の電力上限値より小さいか又は前記第１の電力上限値に等しい場合に、前記所要電力を前記第１の送信電力として使用するステップと、
前記第１のしきい値と前記第１の送信電力との間の差より小さいか又は差に等しい前記第２の送信電力を前記第２のサブフレームｉに対して割り当てるステップとを含む、請求項１から請求項３のいずれか一項に記載の方法。
【請求項１２】
前記第１のチャネルの前記優先順位が前記第２のチャネルの前記優先順位に等しい場合に、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップが、
前記第１のサブフレームｊの第１の所要サブ電力及び前記第２のサブフレームｉの第２の所要サブ電力を判定するとともに、前記第１の所要サブ電力と前記第２の所要サブ電力の電力和が前記第１のしきい値より大きいかどうかを判定するステップと、
前記電力和が前記第１のしきい値より小さいか若しくは前記第１のしきい値に等しい場合に、前記第１の所要サブ電力及び前記第１の電力上限値のうちのより小さい値を前記第１の送信電力として使用するとともに、前記第２の所要サブ電力を前記第２の送信電力として使用するステップか、又は、
前記電力和が前記第１のしきい値より大きい場合に、前記第１の所要サブ電力及び前記第２の所要サブ電力を等しい割合で圧縮して、それぞれ、前記第１の所要サブ電力に対応する第１の圧縮された所要サブ電力、及び前記第２の所要サブ電力に対応する第２の圧縮された所要サブ電力を獲得し、前記第１の圧縮された所要サブ電力と前記第２の圧縮された所要サブ電力の和が前記第１のしきい値より小さいか又は前記第１のしきい値に等しく、前記第１の圧縮された所要サブ電力及び前記第１の電力上限値のうちのより小さい値を前記第１の送信電力として使用するとともに、前記第１のしきい値と前記第１の送信電力との間の差より小さいか又は差に等しい前記第２の送信電力を前記第２のサブフレームｉに対して割り当てるステップとを含む、請求項１から請求項３のいずれか一項に記載の方法。
【請求項１３】
前記第２の送信電力が、第４のしきい値とサブフレームｊ−１の第３の電力上限値との間の差より小さいか又は差に等しく、前記サブフレームｊ−１が前記第１のサブフレームｊの前のサブフレームであるとともに、前記サブフレームｊ−１が前記第１のネットワーク側装置に対してデータを送信するために使用される、請求項１から請求項３のいずれか一項に記載の方法。
【請求項１４】
ユーザ装置であって、
当該ユーザ装置が第１のチャネルを介して第１のネットワーク側装置に対してデータを送信するとともに、当該ユーザ装置が第２のチャネルを介して第２のネットワーク側装置に対してデータを送信する場合に、前記第１のチャネルが、別々に前記第２のチャネル及び第３のチャネルとオーバラップすることを判定し、前記第１のチャネルが位置付けられている第１のサブフレームｊの第１の部分と、前記第２のチャネルが位置付けられている第２のサブフレームｉとの間にオーバラップ部分が存在し、前記第１のサブフレームｊの前記第１の部分以外の第２の部分と、前記第３のチャネルが位置付けられている第３のサブフレームｉ＋１の第１の部分との間にオーバラップ部分が存在し、前記第３のサブフレームｉ＋１が前記第２のサブフレームｉの次のサブフレームであるとともに、前記第３のサブフレームｉ＋１が前記第２のネットワーク側装置に対してデータを送信するために使用される、ように構成される第１の判定ユニットと、
前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当て、前記第１の送信電力が第１の電力上限値より小さいか又は第１の電力上限値に等しく、前記第１の送信電力と前記第２の送信電力の和が事前設定された第１のしきい値より小さいか又は第１のしきい値に等しいとともに、前記第３のサブフレームｉ＋１の第３の送信電力と前記第１の電力上限値の和が事前設定された第２のしきい値より小さいか又は第２のしきい値に等しい、ように構成される割り当てユニットとを備える、ユーザ装置。
【請求項１５】
当該ユーザ装置が、
少なくとも前記第３のチャネルの優先順位及び前記第１のチャネルの前記優先順位に従って前記第３の送信電力を判定するように構成される第２の判定ユニットと、
前記第２のしきい値及び前記第３の送信電力に従って前記第１の電力上限値を判定するように構成される第３の判定ユニットとを更に備える、請求項１４に記載のユーザ装置。
【請求項１６】
当該ユーザ装置が、
前記第３のチャネルの前記優先順位が第４のチャネルの前記優先順位より高いか又は第４のチャネルの前記優先順位に等しいと少なくとも判定するように構成される第８の判定ユニットを更に備える、請求項１４又は請求項１５に記載のユーザ装置。
【請求項１７】
当該ユーザ装置が、
前記第１のネットワーク側装置がセカンダリネットワーク側装置ＳｅＮＢであると判定するとともに、前記第２のネットワーク側装置がマスタネットワーク側装置ＭｅＮＢであると判定するように構成される第９の判定ユニットを更に備える、請求項１４又は請求項１５に記載のユーザ装置。
【請求項１８】
当該ユーザ装置が、第４の判定ユニットを更に備え、
前記第４の判定ユニットが、前記第３のチャネルが第４のチャネルとオーバラップすることを判定し、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ように構成され、
前記第２の判定ユニットが、前記第３のチャネルの前記優先順位及び前記第１のチャネルの前記優先順位に従って前記第３のサブフレームｉ＋１の前記第１の部分の送信電力を判定し、前記第３のチャネルの前記優先順位及び前記第４のチャネルの優先順位に従って前記第３のサブフレームｉ＋１の前記第２の部分の送信電力を判定し、前記第３のサブフレームｉ＋１の前記第１の部分の前記送信電力及び前記第３のサブフレームｉ＋１の前記第２の部分の前記送信電力に従って前記第３の送信電力を判定し、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ように構成される、請求項１５に記載のユーザ装置。
【請求項１９】
前記第１のサブフレームｊ及び前記第２のサブフレームｉが送信されたあとで、
前記第１の判定ユニットが、当該ユーザ装置が第４のチャネルを介して前記第１のネットワーク側装置に対してデータを送信するとともに、当該ユーザ装置が前記第３のチャネルを介して前記第２のネットワーク側装置に対してデータを送信する場合に、前記第４のチャネルが、別々に前記第３のチャネル及び第５のチャネルとオーバラップすることを判定し、前記第４のチャネルが位置付けられている第４のサブフレームｊ＋１の第１の部分と、前記第３のサブフレームｉ＋１との間にオーバラップ部分が存在し、前記第４のサブフレームｊ＋１の前記第１の部分以外の第２の部分と、前記第５のチャネルが位置付けられている第５のサブフレームｉ＋２の第１の部分との間にオーバラップ部分が存在し、前記第５のサブフレームｉ＋２が前記第３のサブフレームｉ＋１の次のサブフレームであるとともに、前記第５のサブフレームｉ＋２が前記第２のネットワーク側装置に対してデータを送信するために使用される、ように更に構成され、
前記割り当てユニットが、前記第４のチャネルの優先順位及び前記第３のチャネルの優先順位に従って、第４の送信電力を前記第４のサブフレームｊ＋１の前記第１の部分及び前記第４のサブフレームｊ＋１の前記第２の部分に対して、そして実際の送信電力を前記第３のサブフレームｉ＋１に対して割り当て、前記第４の送信電力が、第３の電力上限値より小さいか又は第３の電力上限値に等しく、前記実際の送信電力が、前記第２のしきい値と前記第１の電力上限値との間の差より小さいか又は差に等しく、前記第４の送信電力と前記実際の送信電力の和が事前設定された第５のしきい値より小さいか又は第５のしきい値に等しいとともに、前記第５のサブフレームｉ＋２の第５の送信電力と前記第３の電力上限値の和が事前設定された第６のしきい値より小さいか又は第６のしきい値に等しい、ように更に構成される、請求項１４に記載のユーザ装置。
【請求項２０】
当該ユーザ装置が、
前記第３のチャネルが第４のチャネルとオーバラップすることを判定し、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ように構成される第４の判定ユニットと、
前記第３のチャネルの優先順位及び前記第１のチャネルの前記優先順位に従って前記第３のサブフレームｉ＋１の前記第１の部分の送信電力を判定し、前記第３のチャネルの前記優先順位及び前記第４のチャネルの優先順位に従って前記第３のサブフレームｉ＋１の前記第２の部分の送信電力を判定し、前記第３のサブフレームｉ＋１の前記第１の部分の前記送信電力及び前記第３のサブフレームｉ＋１の前記第２の部分の前記送信電力に従って前記第３の送信電力を判定し、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ように構成される第２の判定ユニットとを更に備える、請求項１４に記載のユーザ装置。
【請求項２１】
当該ユーザ装置が、
前記第３のチャネルの前記優先順位及び前記第４のチャネルの前記優先順位に従って前記第４の送信電力を判定するように構成される第５の判定ユニットと、
前記第３のしきい値及び前記第４の送信電力に従って前記第２の電力上限値を判定するように構成される第６の判定ユニットとを更に備える、請求項２０に記載のユーザ装置。
【請求項２２】
当該ユーザ装置が、
当該ＵＥの現在のモードが非同期デュアルコネクティビティＤＣモードであることを判定するように構成される第７の判定ユニットを更に備える、請求項１４又は請求項１５に記載のユーザ装置。
【請求項２３】
当該ユーザ装置が、
前記第１のネットワーク側装置又は前記第２のネットワーク側装置により送信された参照時間ウィンドウ情報を受信し、前記参照時間ウィンドウ情報が、前記第１の送信電力及び前記第２の送信電力の割り当ての間に参照として使用される必要があるサブフレームを判定するために使用される、ように構成される受信ユニットを更に備える、請求項１４又は請求項１５に記載のユーザ装置。
【請求項２４】
前記第１のチャネルの前記優先順位が前記第２のチャネルの前記優先順位より高い場合に、前記割り当てユニットが、前記第１のサブフレームｊの所要電力が前記第１の電力上限値より大きいかどうかを判定し、前記所要電力が前記第１の電力上限値より大きい場合に、前記所要電力を圧縮して、前記第１の電力上限値より小さいか又は前記第１の電力上限値に等しい前記第１の送信電力を獲得する、若しくは前記第１の電力上限値を前記第１の送信電力として判定するか、又は、前記所要電力が前記第１の電力上限値より小さいか又は前記第１の電力上限値に等しい場合に、前記所要電力を前記第１の送信電力として使用するとともに、前記第１のしきい値と前記第１の送信電力との間の差より小さいか又は差に等しい前記第２の送信電力を前記第２のサブフレームｉに対して割り当てる、ように構成される、請求項１４から請求項１６のいずれか一項に記載のユーザ装置。
【請求項２５】
前記第１のチャネルの前記優先順位が前記第２のチャネルの前記優先順位に等しい場合に、前記割り当てユニットが、前記第１のサブフレームｊの第１の所要サブ電力及び前記第２のサブフレームｉの第２の所要サブ電力を判定するとともに、前記第１の所要サブ電力と前記第２の所要サブ電力の電力和が前記第１のしきい値より大きいかどうかを判定し、前記電力和が前記第１のしきい値より小さいか若しくは前記第１のしきい値に等しい場合に、前記第１の所要サブ電力及び前記第１の電力上限値のうちのより小さい値を前記第１の送信電力として使用するとともに、前記第２の所要サブ電力を前記第２の送信電力として使用するか、又は、前記電力和が前記第１のしきい値より大きい場合に、前記第１の所要サブ電力及び前記第２の所要サブ電力を等しい割合で圧縮して、それぞれ、前記第１の所要サブ電力に対応する第１の圧縮された所要サブ電力、及び前記第２の所要サブ電力に対応する第２の圧縮された所要サブ電力を獲得し、前記第１の圧縮された所要サブ電力と前記第２の圧縮された所要サブ電力の和が前記第１のしきい値より小さいか又は前記第１のしきい値に等しく、前記第１の圧縮された所要サブ電力及び前記第１の電力上限値のうちのより小さい値を前記第１の送信電力として使用するとともに、前記第１のしきい値と前記第１の送信電力との間の差より小さいか又は差に等しい前記第２の送信電力を前記第２のサブフレームｉに対して割り当てる、ように構成される、請求項１４から請求項１６のいずれか一項に記載のユーザ装置。
【請求項２６】
前記第２の送信電力が、第４のしきい値とサブフレームｊ−１の第３の電力上限値との間の差より小さいか又は差に等しく、前記サブフレームｊ−１が前記第１のサブフレームｊの前のサブフレームであるとともに、前記サブフレームｊ−１が前記第１のネットワーク側装置に対してデータを送信するために使用される、請求項１４から請求項１６のいずれか一項に記載のユーザ装置。
【発明の詳細な説明】
【技術分野】
【０００１】
本出願は、通信技術の分野に関し、特に、電力設定方法、ユーザ装置、及び基地局に関する。
【背景技術】
【０００２】
ＬＴＥ−Ａ（Long  Term  Evolution−Advanced、ロングタームエボリューションアドバンスト）は、３ＧＰＰ  ＬＴＥシステムの更に発展して強化されたシステムである。ＬＴＥ−Ａシステムにおいて、ＣＡ（キャリアアグリゲーション）技術は、第４世代通信技術に関する、国際電気通信連合のピークデータレート要求を満たすために導入される。キャリアアグリゲーションでは、より広い伝送帯域幅を獲得するために、２つかそれ以上のコンポーネントキャリア（Component  Carrier）のスペクトルが統合され、ここで、コンポーネントキャリアのスペクトルは、隣接する連続スペクトルとすることができるか、又は、バンド内の非隣接スペクトルとすること、若しくはさらにバンド間の不連続スペクトルとすることができる。ＬＴＥ−Ａユーザ装置は、データを送信及び受信するために、ＬＴＥ−Ａユーザ装置の能力とサービス要件に従って、同時に複数のコンポーネントキャリアにアクセスすることができる。
【０００３】
その後の進化型ＬＴＥ−Ａシステムでは、基地局間のキャリアアグリゲーション、すなわち、ＤＣ（Dual  Connectivity、デュアルコネクティビティ）が導入される。この場合、基地局の間のバックホール（Backhaul）が非理想的であり、データは基地局の間でリアルタイムに転送されることができない。ＤＣシナリオでは、２つの基地局は非同期であってもよく、すなわち、２つの基地局のダウンリンク伝送サブフレームの開始の瞬間の間に時間差がある。さらに、この非同期ＤＣシナリオでは、ユーザ装置ＵＥにより２つのネットワーク側装置に対して送信される複数のアップリンクチャネルはオーバラップする。具体的には、図１を参照すると、第１のチャネルは、第２のチャネル及び第３のチャネルとオーバラップし、ここで、ユーザ装置ＵＥは、第１のチャネルを介してセカンダリネットワーク側装置ＳｅＮＢに対してデータを送信するとともに、ユーザ装置は、第２のチャネル及び第３のチャネルを介してマスタネットワーク側装置ＭｅＮＢに対してデータを送信する。第１のチャネルが位置付けられている第１のサブフレームｊの第１の部分と、
第２のチャネルが位置付けられている第２のサブフレームｉとの間にオーバラップ部分が存在し、説明を簡単にするために、第１のオーバラップエリアと言われる。さらに、第１のサブフレームｊの第１の部分以外の第２の部分と、第３のチャネルが位置付けられている第３のサブフレームｉ＋１との間にオーバラップ部分が存在し、説明を簡単にするために、第２のオーバラップエリアと言われる。第３のサブフレームｉ＋１は、第２のサブフレームｉの次のサブフレームであるとともに、第３のサブフレームｉ＋１は、マスタネットワーク側装置に対してデータを送信するために使用される。
【０００４】
図１における非同期ＤＣシナリオでは、従来技術における全てのサブフレームに対して電力を設定するための方法は、第１のチャネル及び第２のチャネルの優先順位に従って、電力を第１のサブフレームｊ及び第２のサブフレームｉに対して割り当て、ここで、第１のサブフレームｊの全ての部分は等しい電力で伝送され、すなわち、第１のサブフレームｊの全てのシンボルは等しい電力で伝送され、たとえ第２のオーバラップエリアが存在するとしても、第３のサブフレームｉ＋１は、第１のサブフレームｊに対する割り当て後の残りの電力だけで伝送されることができる。
【０００５】
例えば、第１のチャネルは、ＰＵＣＣＨ（Physical  Uplink  Control  Channel、物理上りリンク制御チャネル）であるとともに、第２のチャネルは、ＰＵＳＣＨ（Physical  Uplink  Shared  Channel、物理上りリンク共有チャネル）である。既存の電力設定では、ＰＵＣＣＨの優先順位は、ＰＵＳＣＨの優先順位より高く、それ故、第１のチャネルのチャネル優先順位は、第２のチャネルのチャネル優先順位より高い。したがって、最初に電力が第１のサブフレームｊにおけるＰＵＣＣＨに対して割り当てられ、次に電力が第２のサブフレームｉにおけるＰＵＳＣＨに対して割り当てられる。前述の割り当て方法によれば、もし第１のチャネルの電力が変わらないままであるならば、たとえ第３のチャネルがＰＵＣＣＨチャネルであり、すなわち、第３のチャネルの優先順位が、第１のチャネルの優先順位より高いか又は第１のチャネルの優先順位に等しいとしても、ＵＥの最大の送信電力は１つのタイムセグメントの中で制限されるので、残りの電力のみが第３のサブフレームｉ＋１における第３のチャネルに対して割り当てられることができる。その結果、第３のサブフレームに対して割り当てられた電力は、第３のフレームの所要電力に達しない可能性があり、第３のサブフレームの伝送性能が影響を受ける。
【０００６】
しかしながら、前述のシナリオにおいて、ＵＥがＤＣモードにある場合に、マスタネットワーク側装置は、ＵＥの全てのＲＲＣ（Radio  Resource  Control、無線リソース制御）制御情報の送信及び受信に関与し、一方、セカンダリネットワーク側装置は、そのような情報を送信しないとともに受信しない。したがって、もし、ＵＥにより２つのネットワーク側装置に対して送信されるアップリンクチャネルのタイプ、又はアップリンクチャネルで搬送されるアップリンク制御情報の優先順位が同じであるならば、マスタネットワーク側装置に対して送信されるアップリンクチャネルがより重要であるということが一般的に考えられ、電力は優先的にこのアップリンクチャネルに対して割り当てられるべきである。
【０００７】
したがって、従来技術における技術的解決法によれば、第１のサブフレームｊにおける等しい電力での伝送は、第１のチャネルの正しい受信を保証するけれど、第３のサブフレームｉ＋１の優先順位が第１のサブフレームｊの優先順位より高い場合に、十分な送信電力が優先的に割り当てられるべきである第３のサブフレームｉ＋１は対応する送信電力を獲得せず、その結果として、非同期ＤＣでは重要な情報に対する電力割り当てが保証されることができない。
【発明の概要】
【０００８】
本出願は、電力設定方法、ユーザ装置、及び基地局を提供し、それにより、ユーザ装置がデータを複数のチャネルを介して送信する場合の不適切な電力割り当てのために重要な情報に対する電力割り当てが保証されることができない、という従来技術に存在する技術的な問題を解決する。
【０００９】
本出願の第１の態様は、電力設定方法であって、ユーザ装置ＵＥが第１のチャネルを介して第１のネットワーク側装置に対してデータを送信するとともに、前記ＵＥが第２のチャネルを介して第２のネットワーク側装置に対してデータを送信する場合に、前記第１のチャネルが、別々に前記第２のチャネル及び第３のチャネルとオーバラップすることを判定するステップであって、前記第１のチャネルが位置付けられている第１のサブフレームｊの第１の部分と、前記第２のチャネルが位置付けられている第２のサブフレームｉとの間にオーバラップ部分が存在し、前記第１のサブフレームｊの前記第１の部分以外の第２の部分と、前記第３のチャネルが位置付けられている第３のサブフレームｉ＋１の第１の部分との間にオーバラップ部分が存在し、前記第３のサブフレームｉ＋１が前記第２のサブフレームｉの次のサブフレームであるとともに、前記第３のサブフレームｉ＋１が前記第２のネットワーク側装置に対してデータを送信するために使用される、ステップと、前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てるステップであって、前記第１の送信電力が第１の電力上限値より小さいか又は第１の電力上限値に等しく、前記第１の送信電力と前記第２の送信電力の和が事前設定された第１のしきい値より小さいか又は第１のしきい値に等しいとともに、前記第３のサブフレームｉ＋１の第３の送信電力と前記第１の電力上限値の和が事前設定された第２のしきい値より小さいか又は第２のしきい値に等しい、ステップとを含む、電力設定方法を提供する。
【００１０】
第１の態様に関連して、第１の態様の第１の可能な実施方法において、前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法は、少なくとも前記第３のチャネルの優先順位及び前記第１のチャネルの前記優先順位に従って前記第３の送信電力を判定するステップと、前記第２のしきい値及び前記第３の送信電力に従って前記第１の電力上限値を判定するステップとを更に含む。
【００１１】
第１の態様の第１の可能な実施方法に関連して、第１の態様の第２の可能な実施方法において、少なくとも前記第３のチャネルの優先順位及び前記第１のチャネルの前記優先順位に従って前記第３の送信電力を判定する前記ステップのまえに、当該方法は、前記第３のチャネルが第４のチャネルとオーバラップすることを判定するステップであって、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ステップを更に含み、少なくとも前記第３のチャネルの優先順位及び前記第１のチャネルの前記優先順位に従って前記第３の送信電力を判定する前記ステップが、前記第３のチャネルの前記優先順位及び前記第１のチャネルの前記優先順位に従って前記第３のサブフレームｉ＋１の前記第１の部分の送信電力を判定するステップと、前記第３のチャネルの前記優先順位及び前記第４のチャネルの優先順位に従って前記第３のサブフレームｉ＋１の前記第２の部分の送信電力を判定するステップと、前記第３のサブフレームｉ＋１の前記第１の部分の前記送信電力及び前記第３のサブフレームｉ＋１の前記第２の部分の前記送信電力に従って前記第３の送信電力を判定するステップであって、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ステップとを具体的に含む。
【００１２】
第１の態様に関連して、第１の態様の第３の可能な実施方法において、前記第１のサブフレームｊ及び前記第２のサブフレームｉが送信されたあとで、当該方法は、前記ＵＥが第４のチャネルを介して前記第１のネットワーク側装置に対してデータを送信するとともに、前記ＵＥが前記第３のチャネルを介して前記第２のネットワーク側装置に対してデータを送信する場合に、前記第４のチャネルが、別々に前記第３のチャネル及び第５のチャネルとオーバラップすることを判定するステップであって、前記第４のチャネルが位置付けられている第４のサブフレームｊ＋１の第１の部分と、前記第３のサブフレームｉ＋１との間にオーバラップ部分が存在し、前記第４のサブフレームｊ＋１の前記第１の部分以外の第２の部分と、前記第５のチャネルが位置付けられている第５のサブフレームｉ＋２の第１の部分との間にオーバラップ部分が存在し、前記第５のサブフレームｉ＋２が前記第３のサブフレームｉ＋１の次のサブフレームであるとともに、前記第５のサブフレームｉ＋２が前記第２のネットワーク側装置に対してデータを送信するために使用される、ステップと、前記第４のチャネルの優先順位及び前記第３のチャネルの優先順位に従って、第４の送信電力を前記第４のサブフレームｊ＋１の前記第１の部分及び前記第４のサブフレームｊ＋１の前記第２の部分に対して、そして実際の送信電力を前記第３のサブフレームｉ＋１に対して割り当てるステップであって、前記第４の送信電力が、第３の電力上限値より小さいか又は第３の電力上限値に等しく、前記実際の送信電力が、前記第２のしきい値と前記第１の電力上限値との間の差より小さいか又は差に等しく、前記第４の送信電力と前記実際の送信電力の和が事前設定された第５のしきい値より小さいか又は第５のしきい値に等しいとともに、前記第５のサブフレームｉ＋２の第５の送信電力と前記第３の電力上限値の和が事前設定された第６のしきい値より小さいか又は第６のしきい値に等しい、ステップとを更に含む。
【００１３】
第１の態様に関連して、第１の態様の第４の可能な実施方法において、前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法は、前記第３のチャネルが第４のチャネルとオーバラップすることを判定するステップであって、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ステップと、前記第３のチャネルの優先順位及び前記第１のチャネルの前記優先順位に従って前記第３のサブフレームｉ＋１の前記第１の部分の送信電力を判定するステップと、前記第３のチャネルの前記優先順位及び前記第４のチャネルの優先順位に従って前記第３のサブフレームｉ＋１の前記第２の部分の送信電力を判定するステップと、前記第３のサブフレームｉ＋１の前記第１の部分の前記送信電力及び前記第３のサブフレームｉ＋１の前記第２の部分の前記送信電力に従って前記第３の送信電力を判定するステップであって、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ステップとを更に含む。
【００１４】
第１の態様の第４の可能な実施方法に関連して、第１の態様の第５の可能な実施方法において、前記第３のサブフレームｉ＋１の前記第１の部分の前記送信電力及び前記第３のサブフレームｉ＋１の前記第２の部分の前記送信電力に従って前記第３の送信電力を判定する前記ステップのまえに、当該方法は、前記第３のチャネルの前記優先順位及び前記第４のチャネルの前記優先順位に従って前記第４の送信電力を判定するステップと、前記第３のしきい値及び前記第４の送信電力に従って前記第２の電力上限値を判定するステップとを更に含む。
【００１５】
第１の態様、又は第１の態様の第１の可能な実施方法から第１の態様の第５の可能な実施方法のいずれか１つに関連して、第１の態様の第６の可能な実施方法において、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法は、前記ＵＥの現在のモードが非同期デュアルコネクティビティＤＣモードであることを判定するステップを更に含む。
【００１６】
第１の態様、又は第１の態様の第１の可能な実施方法から第１の態様の第５の可能な実施方法のいずれか１つに関連して、第１の態様の第７の可能な実施方法において、前記ＵＥにより、第１の送信電力を前記第１のサブフレームｊの前記第１の部分、及び前記第１の部分以外の前記第２の部分に対して、そして第２の送信電力を前記第２のチャネルの前記第２のサブフレームｉに対して割り当てる前記ステップのまえに、当該方法は、前記第１のネットワーク側装置又は前記第２のネットワーク側装置により送信された参照時間ウィンドウ情報を前記ＵＥにより受信するステップであって、前記参照時間ウィンドウ情報が、前記第１の送信電力及び前記第２の送信電力の割り当ての間に参照として使用される必要があるサブフレームを判定するために使用される、ステップを更に含む。
【００１７】
第１の態様、又は第１の態様の第１の可能な実施方法から第１の態様の第５の可能な実施方法のいずれか１つに関連して、第１の態様の第８の可能な実施方法において、前記ＵＥにより、第１の送信電力を前記第１のサブフレームｊの前記第１の部分、及び前記第１の部分以外の前記第２の部分に対して、そして第２の送信電力を前記第２のチャネルの前記第２のサブフレームｉに対して割り当てる前記ステップのまえに、当該方法は、前記第３のチャネルの前記優先順位が前記第４のチャネルの前記優先順位より高いか又は前記第４のチャネルの前記優先順位に等しいと少なくとも判定するステップを更に含む。
【００１８】
第１の態様、又は第１の態様の第１の可能な実施方法から第１の態様の第８の可能な実施方法のいずれか１つに関連して、第１の態様の第９の可能な実施方法において、前記第１のチャネルの前記優先順位が前記第２のチャネルの前記優先順位より高い場合に、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップは、前記第１のサブフレームｊの所要電力が前記第１の電力上限値より大きいかどうかを判定するステップと、前記所要電力が前記第１の電力上限値より大きい場合に、前記所要電力を圧縮して、前記第１の電力上限値より小さいか又は前記第１の電力上限値に等しい前記第１の送信電力を獲得する、若しくは前記第１の電力上限値を前記第１の送信電力として判定するステップか、又は、前記所要電力が前記第１の電力上限値より小さいか又は前記第１の電力上限値に等しい場合に、前記所要電力を前記第１の送信電力として使用するステップと、前記第１のしきい値と前記第１の送信電力との間の差より小さいか又は差に等しい前記第２の送信電力を前記第２のサブフレームｉに対して割り当てるステップとを含む。
【００１９】
第１の態様、又は第１の態様の第１の可能な実施方法から第１の態様の第８の可能な実施方法のいずれか１つに関連して、第１の態様の第１０の可能な実施方法において、前記第１のチャネルの前記優先順位が前記第２のチャネルの前記優先順位に等しい場合に、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップは、前記第１のサブフレームｊの第１の所要サブ電力及び前記第２のサブフレームｉの第２の所要サブ電力を判定するとともに、前記第１の所要サブ電力と前記第２の所要サブ電力の電力和が前記第１のしきい値より大きいかどうかを判定するステップと、前記電力和が前記第１のしきい値より小さいか若しくは前記第１のしきい値に等しい場合に、前記第１の所要サブ電力及び前記第１の電力上限値のうちのより小さい値を前記第１の送信電力として使用するとともに、前記第２の所要サブ電力を前記第２の送信電力として使用するステップか、又は、前記電力和が前記第１のしきい値より大きい場合に、前記第１の所要サブ電力及び前記第２の所要サブ電力を等しい割合で圧縮して、それぞれ、前記第１の所要サブ電力に対応する第１の圧縮された所要サブ電力、及び前記第２の所要サブ電力に対応する第２の圧縮された所要サブ電力を獲得し、前記第１の圧縮された所要サブ電力と前記第２の圧縮された所要サブ電力の和が前記第１のしきい値より小さいか又は前記第１のしきい値に等しく、前記第１の圧縮された所要サブ電力及び前記第１の電力上限値のうちのより小さい値を前記第１の送信電力として使用するとともに、前記第１のしきい値と前記第１の送信電力との間の差より小さいか又は差に等しい前記第２の送信電力を前記第２のサブフレームｉに対して割り当てるステップとを具体的に含む。
【００２０】
第１の態様、又は第１の態様の第１の可能な実施方法から第１の態様の第８の可能な実施方法のいずれか１つに関連して、第１の態様の第１１の可能な実施方法において、前記第２の送信電力は、第４のしきい値とサブフレームｊ−１の前記第３の電力上限値との間の差より小さいか又は差に等しく、前記サブフレームｊ−１は前記第１のサブフレームｊの前のサブフレームであるとともに、前記サブフレームｊ−１は前記第１のネットワーク側装置に対してデータを送信するために使用される。
【００２１】
第１の態様、又は第１の態様の第１の可能な実施方法から第１の態様の第１１の可能な実施方法のいずれか１つに関連して、第１の態様の第１２の可能な実施方法において、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該方法は、前記第１のネットワーク側装置が具体的にセカンダリネットワーク側装置ＳｅＮＢであると判定するステップと、前記第２のネットワーク側装置が具体的にマスタネットワーク側装置ＭｅＮＢであると判定するステップとを更に含む。
【００２２】
本出願の第２の態様は、電力設定方法であって、ユーザ装置ＵＥに対して参照時間ウィンドウ情報を送信するステップであって、前記参照時間ウィンドウ情報が、第１のチャネルが位置付けられている第１のサブフレームｊに対する第１の送信電力及び第２のチャネルが位置付けられている第２のサブフレームｉに対する第２の送信電力の割り当ての間に参照として使用される必要があるサブフレームを前記ＵＥに対して指示するために使用される、ステップと、前記第１の送信電力で前記ＵＥにより送信された前記第１のチャネル上のデータ又は前記第２の送信電力で前記ＵＥにより送信された前記第２のチャネル上のデータを受信するステップとを含む、電力設定方法を更に提供する。
【００２３】
本出願の第３の態様は、ユーザ装置であって、当該ユーザ装置が第１のチャネルを介して第１のネットワーク側装置に対してデータを送信するとともに、当該ユーザ装置が第２のチャネルを介して第２のネットワーク側装置に対してデータを送信する場合に、前記第１のチャネルが、別々に前記第２のチャネル及び第３のチャネルとオーバラップすることを判定し、前記第１のチャネルが位置付けられている第１のサブフレームｊの第１の部分と、前記第２のチャネルが位置付けられている第２のサブフレームｉとの間にオーバラップ部分が存在し、前記第１のサブフレームｊの前記第１の部分以外の第２の部分と、前記第３のチャネルが位置付けられている第３のサブフレームｉ＋１の第１の部分との間にオーバラップ部分が存在し、前記第３のサブフレームｉ＋１が前記第２のサブフレームｉの次のサブフレームであるとともに、前記第３のサブフレームｉ＋１が前記第２のネットワーク側装置に対してデータを送信するために使用される、ように構成される第１の判定ユニットと、前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当て、前記第１の送信電力が第１の電力上限値より小さいか又は第１の電力上限値に等しく、前記第１の送信電力と前記第２の送信電力の和が事前設定された第１のしきい値より小さいか又は第１のしきい値に等しいとともに、前記第３のサブフレームｉ＋１の第３の送信電力と前記第１の電力上限値の和が事前設定された第２のしきい値より小さいか又は第２のしきい値に等しい、ように構成される割り当てユニットとを含む、ユーザ装置を更に提供する。
【００２４】
第３の態様に関連して、第３の態様の第１の可能な実施方法において、当該ユーザ装置は、少なくとも前記第３のチャネルの優先順位及び前記第１のチャネルの前記優先順位に従って前記第３の送信電力を判定するように構成される第２の判定ユニットと、前記第２のしきい値及び前記第３の送信電力に従って前記第１の電力上限値を判定するように構成される第３の判定ユニットとを更に含む。
【００２５】
第３の態様の第１の可能な実施方法に関連して、第３の態様の第２の可能な実施方法において、当該ユーザ装置は、第４の判定ユニットを更に含み、前記第４の判定ユニットは、前記第３のチャネルが第４のチャネルとオーバラップすることを判定し、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ように構成され、前記第２の判定ユニットは、前記第３のチャネルの前記優先順位及び前記第１のチャネルの前記優先順位に従って前記第３のサブフレームｉ＋１の前記第１の部分の送信電力を判定し、前記第３のチャネルの前記優先順位及び前記第４のチャネルの優先順位に従って前記第３のサブフレームｉ＋１の前記第２の部分の送信電力を判定し、前記第３のサブフレームｉ＋１の前記第１の部分の前記送信電力及び前記第３のサブフレームｉ＋１の前記第２の部分の前記送信電力に従って前記第３の送信電力を判定し、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ように具体的に構成される。
【００２６】
第３の態様に関連して、第３の態様の第３の可能な実施方法において、前記第１のサブフレームｊ及び前記第２のサブフレームｉが送信されたあとで、前記第１の判定ユニットは、当該ユーザ装置が第４のチャネルを介して前記第１のネットワーク側装置に対してデータを送信するとともに、当該ユーザ装置が前記第３のチャネルを介して前記第２のネットワーク側装置に対してデータを送信する場合に、前記第４のチャネルが、別々に前記第３のチャネル及び第５のチャネルとオーバラップすることを判定し、前記第４のチャネルが位置付けられている第４のサブフレームｊ＋１の第１の部分と、前記第３のサブフレームｉ＋１との間にオーバラップ部分が存在し、前記第４のサブフレームｊ＋１の前記第１の部分以外の第２の部分と、前記第５のチャネルが位置付けられている第５のサブフレームｉ＋２の第１の部分との間にオーバラップ部分が存在し、前記第５のサブフレームｉ＋２が前記第３のサブフレームｉ＋１の次のサブフレームであるとともに、前記第５のサブフレームｉ＋２が前記第２のネットワーク側装置に対してデータを送信するために使用される、ように更に構成され、前記割り当てユニットは、前記第４のチャネルの優先順位及び前記第３のチャネルの優先順位に従って、第４の送信電力を前記第４のサブフレームｊ＋１の前記第１の部分及び前記第４のサブフレームｊ＋１の前記第２の部分に対して、そして実際の送信電力を前記第３のサブフレームｉ＋１に対して割り当て、前記第４の送信電力が、第３の電力上限値より小さいか又は第３の電力上限値に等しく、前記実際の送信電力が、前記第２のしきい値と前記第１の電力上限値との間の差より小さいか又は差に等しく、前記第４の送信電力と前記実際の送信電力の和が事前設定された第５のしきい値より小さいか又は第５のしきい値に等しいとともに、前記第５のサブフレームｉ＋２の第５の送信電力と前記第３の電力上限値の和が事前設定された第６のしきい値より小さいか又は第６のしきい値に等しい、ように更に構成される。
【００２７】
第３の態様に関連して、第３の態様の第４の可能な実施方法において、当該ユーザ装置は、前記第３のチャネルが第４のチャネルとオーバラップすることを判定し、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用される、ように構成される第４の判定ユニットと、前記第３のチャネルの優先順位及び前記第１のチャネルの前記優先順位に従って前記第３のサブフレームｉ＋１の前記第１の部分の送信電力を判定し、前記第３のチャネルの前記優先順位及び前記第４のチャネルの優先順位に従って前記第３のサブフレームｉ＋１の前記第２の部分の送信電力を判定し、前記第３のサブフレームｉ＋１の前記第１の部分の前記送信電力及び前記第３のサブフレームｉ＋１の前記第２の部分の前記送信電力に従って前記第３の送信電力を判定し、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ように構成される第２の判定ユニットとを更に含む。
【００２８】
第３の態様の第４の可能な実施方法に関連して、第３の態様の第５の可能な実施方法において、当該ユーザ装置は、前記第３のチャネルの前記優先順位及び前記第４のチャネルの前記優先順位に従って前記第４の送信電力を判定するように構成される第５の判定ユニットと、前記第３のしきい値及び前記第４の送信電力に従って前記第２の電力上限値を判定するように構成される第６の判定ユニットとを更に含む。
【００２９】
第３の態様、又は第３の態様の第１の可能な実施方法から第３の態様の第５の可能な実施方法のいずれか１つに関連して、第３の態様の第６の可能な実施方法において、当該ユーザ装置は、当該ＵＥの現在のモードが非同期デュアルコネクティビティＤＣモードであることを判定するように構成される第７の判定ユニットを更に含む。
【００３０】
第３の態様、又は第３の態様の第１の可能な実施方法から第３の態様の第５の可能な実施方法のいずれか１つに関連して、第３の態様の第７の可能な実施方法において、当該ユーザ装置は、前記第１のネットワーク側装置又は前記第２のネットワーク側装置により送信された参照時間ウィンドウ情報を受信し、前記参照時間ウィンドウ情報が、前記第１の送信電力及び前記第２の送信電力の割り当ての間に参照として使用される必要があるサブフレームを判定するために使用される、ように構成される受信ユニットを更に含む。
【００３１】
第３の態様、又は第３の態様の第１の可能な実施方法から第３の態様の第５の可能な実施方法のいずれか１つに関連して、第３の態様の第８の可能な実施方法において、当該ユーザ装置は、前記第３のチャネルの前記優先順位が前記第４のチャネルの前記優先順位より高いか又は前記第４のチャネルの前記優先順位に等しいと少なくとも判定するように構成される第８の判定ユニットを更に含む。
【００３２】
第３の態様、又は第３の態様の第１の可能な実施方法から第３の態様の第８の可能な実施方法のいずれか１つに関連して、第３の態様の第９の可能な実施方法において、前記第１のチャネルの前記優先順位が前記第２のチャネルの前記優先順位より高い場合に、前記割り当てユニットは、前記第１のサブフレームｊの所要電力が前記第１の電力上限値より大きいかどうかを判定し、前記所要電力が前記第１の電力上限値より大きい場合に、前記所要電力を圧縮して、前記第１の電力上限値より小さいか又は前記第１の電力上限値に等しい前記第１の送信電力を獲得する、若しくは前記第１の電力上限値を前記第１の送信電力として判定するか、又は、前記所要電力が前記第１の電力上限値より小さいか又は前記第１の電力上限値に等しい場合に、前記所要電力を前記第１の送信電力として使用するとともに、前記第１のしきい値と前記第１の送信電力との間の差より小さいか又は差に等しい前記第２の送信電力を前記第２のサブフレームｉに対して割り当てる、ように具体的に構成される。
【００３３】
第３の態様、又は第３の態様の第１の可能な実施方法から第３の態様の第８の可能な実施方法のいずれか１つに関連して、第３の態様の第１０の可能な実施方法において、前記第１のチャネルの前記優先順位が前記第２のチャネルの前記優先順位に等しい場合に、前記割り当てユニットは、前記第１のサブフレームｊの第１の所要サブ電力及び前記第２のサブフレームｉの第２の所要サブ電力を判定するとともに、前記第１の所要サブ電力と前記第２の所要サブ電力の電力和が前記第１のしきい値より大きいかどうかを判定し、前記電力和が前記第１のしきい値より小さいか若しくは前記第１のしきい値に等しい場合に、前記第１の所要サブ電力及び前記第１の電力上限値のうちのより小さい値を前記第１の送信電力として使用するとともに、前記第２の所要サブ電力を前記第２の送信電力として使用するか、又は、前記電力和が前記第１のしきい値より大きい場合に、前記第１の所要サブ電力及び前記第２の所要サブ電力を等しい割合で圧縮して、それぞれ、前記第１の所要サブ電力に対応する第１の圧縮された所要サブ電力、及び前記第２の所要サブ電力に対応する第２の圧縮された所要サブ電力を獲得し、前記第１の圧縮された所要サブ電力と前記第２の圧縮された所要サブ電力の和が前記第１のしきい値より小さいか又は前記第１のしきい値に等しく、前記第１の圧縮された所要サブ電力及び前記第１の電力上限値のうちのより小さい値を前記第１の送信電力として使用するとともに、前記第１のしきい値と前記第１の送信電力との間の差より小さいか又は差に等しい前記第２の送信電力を前記第２のサブフレームｉに対して割り当てる、ように具体的に構成される。
【００３４】
第３の態様、又は第３の態様の第１の可能な実施方法から第３の態様の第８の可能な実施方法のいずれか１つに関連して、第３の態様の第１１の可能な実施方法において、前記第２の送信電力は、第４のしきい値とサブフレームｊ−１の前記第３の電力上限値との間の差より小さいか又は差に等しく、前記サブフレームｊ−１は前記第１のサブフレームｊの前のサブフレームであるとともに、前記サブフレームｊ−１は前記第１のネットワーク側装置に対してデータを送信するために使用される。
【００３５】
第３の態様、又は第３の態様の第１の可能な実施方法から第３の態様の第１１の可能な実施方法のいずれか１つに関連して、第３の態様の第１２の可能な実施方法において、当該ユーザ装置は、前記第１のネットワーク側装置が具体的にセカンダリネットワーク側装置ＳｅＮＢであると判定するとともに、前記第２のネットワーク側装置が具体的にマスタネットワーク側装置ＭｅＮＢであると判定するように構成される第９の判定ユニットを更に含む。
【００３６】
本出願の第４の態様は、ユーザ装置であって、命令を記憶するように構成されるメモリと、前記メモリに連結されたプロセッサとを含み、前記プロセッサが前記の記憶された命令を実行して、下記の、当該ユーザ装置が第１のチャネルを介して第１のネットワーク側装置に対してデータを送信するとともに、当該ユーザ装置が第２のチャネルを介して第２のネットワーク側装置に対してデータを送信する場合に、前記第１のチャネルが、別々に前記第２のチャネル及び第３のチャネルとオーバラップすることを判定するステップであって、前記第１のチャネルが位置付けられている第１のサブフレームｊの第１の部分と、
前記第２のチャネルが位置付けられている第２のサブフレームｉとの間にオーバラップ部分が存在し、前記第１のサブフレームｊの前記第１の部分以外の第２の部分と、
前記第３のチャネルが位置付けられている第３のサブフレームｉ＋１の第１の部分との間にオーバラップ部分が存在し、前記第３のサブフレームｉ＋１が前記第２のサブフレームｉの次のサブフレームであるとともに、前記第３のサブフレームｉ＋１が前記第２のネットワーク側装置に対してデータを送信するために使用される、ステップと、前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てるステップであって、前記第１の送信電力が第１の電力上限値より小さいか又は第１の電力上限値に等しく、前記第１の送信電力と前記第２の送信電力の和が事前設定された第１のしきい値より小さいか又は第１のしきい値に等しいとともに、前記第３のサブフレームｉ＋１の第３の送信電力と前記第１の電力上限値の和が事前設定された第２のしきい値より小さいか又は第２のしきい値に等しい、ステップとを遂行する、ユーザ装置を提供する。
【００３７】
第４の態様に関連して、第４の態様の第１の可能な実施方法において、前記プロセッサは、前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、少なくとも前記第３のチャネルの優先順位及び前記第１のチャネルの前記優先順位に従って前記第３の送信電力を判定するとともに、前記第２のしきい値及び前記第３の送信電力に従って前記第１の電力上限値を判定するように更に具体的に構成される。
【００３８】
第４の態様の第１の可能な実施方法に関連して、第４の態様の第２の可能な実施方法において、前記プロセッサは、少なくとも前記第３のチャネルの優先順位及び前記第１のチャネルの前記優先順位に従って前記第３の送信電力を判定する前記ステップのまえに、前記第３のチャネルが第４のチャネルとオーバラップすることを判定し、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用され、前記第３のチャネルの前記優先順位及び前記第１のチャネルの前記優先順位に従って前記第３のサブフレームｉ＋１の前記第１の部分の送信電力を判定し、前記第３のチャネルの前記優先順位及び前記第４のチャネルの優先順位に従って前記第３のサブフレームｉ＋１の前記第２の部分の送信電力を判定し、前記第３のサブフレームｉ＋１の前記第１の部分の前記送信電力及び前記第３のサブフレームｉ＋１の前記第２の部分の前記送信電力に従って前記第３の送信電力を判定し、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ように具体的に構成される。
【００３９】
第４の態様に関連して、第４の態様の第３の可能な実施方法において、前記第１のサブフレームｊ及び前記第２のサブフレームｉが送信されたあとで、前記プロセッサは、当該ユーザ装置が第４のチャネルを介して前記第１のネットワーク側装置に対してデータを送信するとともに、当該ユーザ装置が前記第３のチャネルを介して前記第２のネットワーク側装置に対してデータを送信する場合に、前記第４のチャネルが、別々に前記第３のチャネル及び第５のチャネルとオーバラップすることを判定し、前記第４のチャネルが位置付けられている第４のサブフレームｊ＋１の第１の部分と、前記第３のサブフレームｉ＋１との間にオーバラップ部分が存在し、前記第４のサブフレームｊ＋１の前記第１の部分以外の第２の部分と、前記第５のチャネルが位置付けられている第５のサブフレームｉ＋２の第１の部分との間にオーバラップ部分が存在し、前記第５のサブフレームｉ＋２が前記第３のサブフレームｉ＋１の次のサブフレームであるとともに、前記第５のサブフレームｉ＋２が前記第２のネットワーク側装置に対してデータを送信するために使用され、前記第４のチャネルの優先順位及び前記第３のチャネルの優先順位に従って、第４の送信電力を前記第４のサブフレームｊ＋１の前記第１の部分及び前記第４のサブフレームｊ＋１の前記第２の部分に対して、そして実際の送信電力を前記第３のサブフレームｉ＋１に対して割り当て、前記第４の送信電力が、第３の電力上限値より小さいか又は第３の電力上限値に等しく、前記実際の送信電力が、前記第２のしきい値と前記第１の電力上限値との間の差より小さいか又は差に等しく、前記第４の送信電力と前記実際の送信電力の和が事前設定された第５のしきい値より小さいか又は第５のしきい値に等しいとともに、前記第５のサブフレームｉ＋２の第５の送信電力と前記第３の電力上限値の和が事前設定された第６のしきい値より小さいか又は第６のしきい値に等しい、ように具体的に構成される。
【００４０】
第４の態様に関連して、第４の態様の第４の可能な実施方法において、前記プロセッサは、前記第１のチャネルの優先順位及び前記第２のチャネルの優先順位に従って、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、前記第３のチャネルが第４のチャネルとオーバラップすることを判定し、前記第３のサブフレームｉ＋１の前記第１の部分以外の前記第３のサブフレームｉ＋１の第２の部分と、前記第４のチャネルが位置付けられている第４のサブフレームｊ＋１の第１の部分との間にオーバラップ部分が存在し、前記第４のサブフレームｊ＋１が前記第１のサブフレームｊの次のサブフレームであるとともに、前記第４のサブフレームｊ＋１が前記第１のネットワーク側装置に対してデータを送信するために使用され、前記第３のチャネルの優先順位及び前記第１のチャネルの前記優先順位に従って前記第３のサブフレームｉ＋１の前記第１の部分の送信電力を判定し、前記第３のチャネルの前記優先順位及び前記第４のチャネルの優先順位に従って前記第３のサブフレームｉ＋１の前記第２の部分の送信電力を判定し、前記第３のサブフレームｉ＋１の前記第１の部分の前記送信電力及び前記第３のサブフレームｉ＋１の前記第２の部分の前記送信電力に従って前記第３の送信電力を判定し、前記第３の送信電力が第２の電力上限値より小さいか又は第２の電力上限値に等しいとともに、前記第２の電力上限値と前記第４のサブフレームｊ＋１の第４の送信電力の和が事前設定された第３のしきい値より小さいか又は第３のしきい値に等しい、ように更に具体的に構成される。
【００４１】
第４の態様の第４の可能な実施方法に関連して、第４の態様の第５の可能な実施方法において、前記プロセッサは、前記第３のサブフレームｉ＋１の前記第１の部分の前記送信電力及び前記第３のサブフレームｉ＋１の前記第２の部分の前記送信電力に従って前記第３の送信電力を判定する前記ステップのまえに、前記第３のチャネルの前記優先順位及び前記第４のチャネルの前記優先順位に従って前記第４の送信電力を判定するとともに、前記第３のしきい値及び前記第４の送信電力に従って前記第２の電力上限値を判定する、ように更に具体的に構成される。
【００４２】
第４の態様、又は第４の態様の第１の可能な実施方法から第４の態様の第５の可能な実施方法のいずれか１つに関連して、第４の態様の第６の可能な実施方法において、前記プロセッサは、第１の送信電力を前記第１のサブフレームｊの前記第１の部分及び前記第１のサブフレームｊの前記第２の部分に対して、そして第２の送信電力を前記第２のサブフレームｉに対して割り当てる前記ステップのまえに、当該ＵＥの現在のモードが非同期デュアルコネクティビティＤＣモードであることを判定するように更に具体的に構成される。
【００４３】
第４の態様、又は第４の態様の第１の可能な実施方法から第４の態様の第５の可能な実施方法のいずれか１つに関連して、第４の態様の第７の可能な実施方法において、当該ユーザ装置は、当該ＵＥが前記第１の送信電力を前記第１のサブフレームｊの前記第１の部分、及び前記第１の部分以外の前記第２の部分に対して、そして前記第２の送信電力を前記第２のチャネルの前記第２のサブフレームｉに対して割り当てるまえに、前記第１のネットワーク側装置又は前記第２のネットワーク側装置により送信された参照時間ウィンドウ情報を受信し、前記参照時間ウィンドウ情報が、前記第１の送信電力及び前記第２の送信電力の割り当ての間に参照として使用される必要があるサブフレームを判定するために使用される、ように構成される受信機を更に含む。
【００４４】
第４の態様、又は第４の態様の第１の可能な実施方法から第４の態様の第５の可能な実施方法のいずれか１つに関連して、第４の態様の第８の可能な実施方法において、前記プロセッサは、当該ＵＥが前記第１の送信電力を前記第１のサブフレームｊの前記第１の部分、及び前記第１の部分以外の前記第２の部分に対して、そして前記第２の送信電力を前記第２のチャネルの前記第２のサブフレームｉに対して割り当てるまえに、前記第３のチャネルの前記優先順位が前記第４のチャネルの前記優先順位より高いか又は前記第４のチャネルの前記優先順位に等しいと少なくとも判定するように更に具体的に構成される。
【００４５】
第４の態様、又は第４の態様の第１の可能な実施方法から第４の態様の第８の可能な実施方法のいずれか１つに関連して、第４の態様の第９の可能な実施方法において、前記プロセッサは、前記第１のサブフレームｊの所要電力が前記第１の電力上限値より大きいかどうかを判定し、前記所要電力が前記第１の電力上限値より大きい場合に、前記所要電力を圧縮して、前記第１の電力上限値より小さいか又は前記第１の電力上限値に等しい前記第１の送信電力を獲得する、若しくは前記第１の電力上限値を前記第１の送信電力として判定するか、又は、前記所要電力が前記第１の電力上限値より小さいか又は前記第１の電力上限値に等しい場合に、前記所要電力を前記第１の送信電力として使用するとともに、前記第１のしきい値と前記第１の送信電力との間の差より小さいか又は差に等しい前記第２の送信電力を前記第２のサブフレームｉに対して割り当てる、ように具体的に構成される。
【００４６】
第４の態様、又は第４の態様の第１の可能な実施方法から第４の態様の第８の可能な実施方法のいずれか１つに関連して、第４の態様の第１０の可能な実施方法において、前記プロセッサは、前記第１のサブフレームｊの第１の所要サブ電力及び前記第２のサブフレームｉの第２の所要サブ電力を判定するとともに、前記第１の所要サブ電力と前記第２の所要サブ電力の電力和が前記第１のしきい値より大きいかどうかを判定し、前記電力和が前記第１のしきい値より小さいか若しくは前記第１のしきい値に等しい場合に、前記第１の所要サブ電力及び前記第１の電力上限値のうちのより小さい値を前記第１の送信電力として使用するとともに、前記第２の所要サブ電力を前記第２の送信電力として使用するか、又は、前記電力和が前記第１のしきい値より大きい場合に、前記第１の所要サブ電力及び前記第２の所要サブ電力を等しい割合で圧縮して、それぞれ、前記第１の所要サブ電力に対応する第１の圧縮された所要サブ電力、及び前記第２の所要サブ電力に対応する第２の圧縮された所要サブ電力を獲得し、前記第１の圧縮された所要サブ電力と前記第２の圧縮された所要サブ電力の和が前記第１のしきい値より小さいか又は前記第１のしきい値に等しく、前記第１の圧縮された所要サブ電力及び前記第１の電力上限値のうちのより小さい値を前記第１の送信電力として使用するとともに、前記第１のしきい値と前記第１の送信電力との間の差より小さいか又は差に等しい前記第２の送信電力を前記第２のサブフレームｉに対して割り当てる、ように具体的に構成される。
【００４７】
第４の態様、又は第４の態様の第１の可能な実施方法から第４の態様の第８の可能な実施方法のいずれか１つに関連して、第４の態様の第１１の可能な実施方法において、前記第２の送信電力は、第４のしきい値とサブフレームｊ−１の前記第３の電力上限値との間の差より小さいか又は差に等しく、前記サブフレームｊ−１は前記第１のサブフレームｊの前のサブフレームであるとともに、前記サブフレームｊ−１は前記第１のネットワーク側装置に対してデータを送信するために使用される。
【００４８】
第４の態様、又は第４の態様の第１の可能な実施方法から第４の態様の第１１の可能な実施方法のいずれか１つに関連して、第４の態様の第１２の可能な実施方法において、前記第１のネットワーク側装置は具体的にセカンダリネットワーク側装置ＳｅＮＢであるとともに、前記第２のネットワーク側装置は具体的にマスタネットワーク側装置ＭｅＮＢである。
【００４９】
本出願の第５の態様は、基地局であって、ユーザ装置ＵＥに対して参照時間ウィンドウ情報を送信し、前記参照時間ウィンドウ情報が、第１のチャネルが位置付けられている第１のサブフレームｊに対する第１の送信電力及び第２のチャネルが位置付けられている第２のサブフレームｉに対する第２の送信電力の割り当ての間に参照として使用される必要があるサブフレームを前記ＵＥに対して指示するために使用される、ように構成される送信ユニットと、前記第１の送信電力で前記ＵＥにより送信された前記第１のチャネル上のデータ又は前記第２の送信電力で前記ＵＥにより送信された前記第２のチャネル上のデータを受信するように構成される受信ユニットとを含む、基地局を提供する。
【００５０】
本出願の第６の態様は、基地局であって、ユーザ装置ＵＥに対して参照時間ウィンドウ情報を送信し、前記参照時間ウィンドウ情報が、第１のチャネルが位置付けられている第１のサブフレームｊに対する第１の送信電力及び第２のチャネルが位置付けられている第２のサブフレームｉに対する第２の送信電力の割り当ての間に参照として使用される必要があるサブフレームを前記ＵＥに対して指示するために使用される、ように構成される送信機と、前記第１の送信電力で前記ＵＥにより送信された前記第１のチャネル上のデータ又は前記第２の送信電力で前記ＵＥにより送信された前記第２のチャネル上のデータを受信するように構成される受信機とを含む、基地局を提供する。
【００５１】
本出願の実施例において提供される１つ又は複数の技術的解決法は、少なくとも下記の技術的な効果又は利点を有している。
【００５２】
本出願の実施例における電力設定方法によれば、ユーザ装置ＵＥが第１のチャネルを介して第１のネットワーク側装置に対してデータを送信するとともに、ＵＥが第２のチャネルを介して第２のネットワーク側装置に対してデータを送信する場合に、第１のチャネルが、別々に第２のチャネル及び第３のチャネルとオーバラップすることが判定され、ここで、第１のチャネルが位置付けられている第１のサブフレームｊの第１の部分と、第２のチャネルが位置付けられている第２のサブフレームｉとの間にオーバラップ部分が存在するとともに、第１のサブフレームｊの第１の部分以外の第２の部分と、第３のチャネルが位置付けられている第３のサブフレームｉ＋１の第１の部分との間にオーバラップ部分が存在し、第３のサブフレームｉ＋１は第２のサブフレームｉの次のサブフレームであるとともに、第３のサブフレームｉ＋１は第２のネットワーク側装置に対してデータを送信するために使用され、第１のチャネルの優先順位及び第２のチャネルの優先順位に従って、第１の送信電力が第１のサブフレームｊの第１の部分及び第１のサブフレームｊの第２の部分に対して割り当てられ、そして第２の送信電力が第２のサブフレームｉに対して割り当てられ、ここで、第１の送信電力は第１の電力上限値より小さいか又は第１の電力上限値に等しく、第１の送信電力と第２の送信電力の和は事前設定された第１のしきい値より小さいか又は第１のしきい値に等しいとともに、第３のサブフレームｉ＋１の第１の部分の送信電力と第１の電力上限値の和は事前設定された第２のしきい値より小さいか又は第２のしきい値に等しい。したがって、この実施例では、第１の送信電力の割り当ての間に、第１のチャネル及び第２のチャネルの優先順位ばかりでなく、第１の送信電力の上限値も考慮され、第１の電力上限値は、第３のサブフレームｉ＋１の第１の部分の送信電力に関連している。言い換えると、この実施例では、第１の電力上限値が、現在の送信サブフレームの要件のみを考慮する代わりに、第３のサブフレームｉ＋１のために必要とされる送信電力を参照して第１の送信電力に対して設定され、その結果、その後に送信されるべきサブフレームの要件が保証される。したがって、この実施例における電力設定方法を使用することにより構成される電力は、より正確であり、電力が重要な情報に適切に割り当てられることを保証する。
【図面の簡単な説明】
【００５３】
【図１】従来技術における電力設定の概略図である。
【図２】本出願の実施例による電力設定の概略図である。
【図３】本出願の実施例による電力設定方法のフローチャートである。
【図４】本出願の実施例によるチャネルのタイムシーケンス図である。
【図５】本出願の別の実施例による電力設定の概略図である。
【図６】本出願の更に別の実施例による電力設定の概略図である。
【図７】本出願の実施例２によるユーザ装置の機能ブロック図である。
【図８】本出願の実施例３によるユーザ装置のハードウェア実装例の概念図である。
【図９】本出願の実施例４による基地局の機能ブロック図である。
【図１０】本出願の実施例５による基地局のハードウェア実装例の概念図である。
【発明を実施するための形態】
【００５４】
本出願の実施例は、電力設定方法、ユーザ装置、及び基地局を提供し、それにより、ユーザ装置がデータを複数のチャネルを介して送信する場合の不適切な電力割り当てのために重要な情報に対する電力割り当てが保証されることができない、という従来技術に存在する技術的な問題を解決する。
【００５５】
前述の技術的問題を解決するために、本出願の実施例における技術的解決法についての一般的なアイデアは、下記の通りである。
【００５６】
本出願の実施例における電力設定方法によれば、ユーザ装置ＵＥが第１のチャネルを介して第１のネットワーク側装置に対してデータを送信するとともに、ＵＥが第２のチャネルを介して第２のネットワーク側装置に対してデータを送信する場合に、第１のチャネルが、別々に第２のチャネル及び第３のチャネルとオーバラップすることが判定され、ここで、第１のチャネルが位置付けられている第１のサブフレームｊの第１の部分と、第２のチャネルが位置付けられている第２のサブフレームｉとの間にオーバラップ部分が存在するとともに、第１のサブフレームｊの第１の部分以外の第２の部分と、第３のチャネルが位置付けられている第３のサブフレームｉ＋１の第１の部分との間にオーバラップ部分が存在し、第３のサブフレームｉ＋１は第２のサブフレームｉの次のサブフレームであるとともに、第３のサブフレームｉ＋１は第２のネットワーク側装置に対してデータを送信するために使用され、第１のチャネルの優先順位及び第２のチャネルの優先順位に従って、第１の送信電力が第１のサブフレームｊの第１の部分及び第１のサブフレームｊの第２の部分に対して割り当てられ、そして第２の送信電力が第２のサブフレームｉに対して割り当てられ、ここで、第１の送信電力は第１の電力上限値より小さいか又は第１の電力上限値に等しく、第１の送信電力と第２の送信電力の和は事前設定された第１のしきい値より小さいか又は第１のしきい値に等しいとともに、第３のサブフレームｉ＋１の第１の部分の送信電力と第１の電力上限値の和は事前設定された第２のしきい値より小さいか又は第２のしきい値に等しい。したがって、この実施例では、第１の送信電力の割り当ての間に、第１のチャネル及び第２のチャネルの優先順位ばかりでなく、第１の送信電力の上限値も考慮され、第１の電力上限値は、第３のサブフレームｉ＋１の第１の部分の送信電力に関連している。言い換えると、この実施例では、第１の電力上限値が、現在の送信サブフレームの要件のみを考慮する代わりに、第３のサブフレームｉ＋１のために必要とされる送信電力を参照して第１の送信電力に対して設定され、その結果、その後に送信されるべきサブフレームの要件が保証される。したがって、この実施例における電力設定方法を使用することにより構成される電力は、より正確であり、電力が重要な情報に適切に割り当てられることを保証する。
【００５７】
本出願の実施例の目的、技術的解決法、及び利点をより明確にするために、下記は、本出願の実施例における添付図面を参照して、本出願の実施例における技術的解決法を明確かつ十分に説明する。明らかに、説明される実施例は本出願の実施例の全てよりむしろ単なる一部である。創作的な努力なしで本出願の実施例に従って当業者により獲得される他の全ての実施例は、本出願の保護範囲に含まれるものとする。
【００５８】
この明細書は、ユーザ装置及び／又は基地局に関して様々な態様を説明する。
【００５９】
ユーザ装置は、無線端末又は有線端末であり得る。無線端末は、ユーザに音声及び／若しくはデータ接続性を提供し、携帯用装置にラジオ接続機能を提供する装置、又は、ラジオモデムに接続された別の処理装置のことを指し得る。無線端末は、無線アクセスネットワーク（ＲＡＮ、Radio  Access  Networkのような）を通して１つ又は複数のコアネットワークと通信し得る。無線端末は、携帯電話（同様に“セルラ”電話と呼ばれる）のような携帯端末であり得るとともに、例えば、携帯端末を有するコンピュータは、携帯用の、ポケットサイズの、ハンドヘルドの、コンピューター内蔵型の、又は車載のモバイル機器であることができ、それは、音声及び／若しくはデータを無線アクセスネットワークと交換する。例えば、それは、パーソナル通信サービス（ＰＣＳ、Personal  Communication  Service）電話機、コードレス電話機、セッション開始プロトコル（ＳＩＰ）電話機、ワイヤレスローカルループ（ＷＬＬ、Wireless  Local  Loop）ステーション、携帯情報端末（ＰＤＡ、Personal  Digital  Assistant）、又は水道／電気／ガスを自動的に読み取る機能があるメータのような装置であり得る。無線端末は、同様に、システム、加入者ユニット（Subscriber  Unit）、加入者ステーション（Subscriber  Station）、モバイルステーション（Mobile  Station）、移動局（Mobile）、遠隔ステーション（Remote  Station）、アクセスポイント（Access  Point）、遠隔端末（Remote  Terminal）、アクセス端末（Access  Terminal）、ユーザ端末（User  Terminal）、ユーザエージェント（User  Agent）、ユーザデバイス（User  Device）、又はユーザ装置（User  Equipment）と呼ばれ得る。
【００６０】
基地局（例えば、アクセスポイント）は、アクセスネットワークにおけるエアインタフェースでの１つ又は複数のセクタを通して無線端末と通信する装置のことを指し得る。基地局は、受信された無線のフレームとＩＰパケットとの間で変換を実行するとともに、無線端末と、インターネットプロトコル（ＩＰ）ネットワークを含み得るアクセスネットワークの残り部分との間のルータとしての機能を果たすように構成され得る。基地局は、同様に、エアインタフェースの属性管理を統合し得る。例えば、基地局は、ＧＳＭにおける基地局（ＢＴＳ、Base  Transceiver  Station）であることができるか、又はＵＴＭＳにおける基地局（ＮｏｄｅＢ）であることができるか、又はＬＴＥ又はＬＴＥ−Ａにおける進化型ＮｏｄｅＢ（ＮｏｄｅＢ、ｅＮＢ、又はｅＮｏｄｅＢ、evolved  Node  B）であることができ、それは、本願では限定されない。
【００６１】
この明細書における用語“及び／又は”は、関連するオブジェクトを説明するために対応関係のみを説明するとともに、３つの関係が存在し得ることを表す。例えば、Ａ及び／又はＢは、下記の３つの場合、Ａのみが存在する、ＡとＢの両方が存在する、そしてＢのみが存在する、を表し得る。さらに、この明細書における記号“／”は、一般に、関連するオブジェクトの間の“又は”の関係を示す。
【００６２】
下記は、添付図面を参照して本出願の実施方法を詳細に説明する。
【実施例１】
【００６３】
ユーザ装置ＵＥが第１のチャネルを介して第１のネットワーク側装置に対してデータを送信するとともに、ＵＥが第２のチャネルを介して第２のネットワーク側装置に対してデータを送信する場合に、この実施例は、電力設定方法を提供する。図２及び図３を参照すると、図２は、この実施例における電力設定方法のチャネルの間のオーバラップの概略図であり、図３は、この実施例における電力設定方法のフローチャートである。方法は、下記の内容を含む。
【００６４】
ステップ１０１：第１のチャネルが、別々に第２のチャネル及び第３のチャネルとオーバラップすることを判定し、ここで、第１のチャネルが位置付けられている第１のサブフレームｊの第１の部分と、第２のチャネルが位置付けられている第２のサブフレームｉとの間にオーバラップ部分が存在するとともに、第１のサブフレームｊの第１の部分以外の第２の部分と、第３のチャネルが位置付けられている第３のサブフレームｉ＋１の第１の部分との間にオーバラップ部分が存在し、第３のサブフレームｉ＋１は第２のサブフレームｉの次のサブフレームであるとともに、第３のサブフレームｉ＋１は第２のネットワーク側装置に対してデータを送信するために使用される。説明を簡単にするために、第１のサブフレームｊの第１の部分と第２のサブフレームｉとの間に存在するオーバラップ部分は、第１のオーバラップエリアと言われるとともに、第１のサブフレームｊの第１の部分以外の第２の部分と第３のサブフレームｉ＋１の第１の部分との間に存在するオーバラップ部分は、第２のオーバラップエリアと言われる。
【００６５】
この実施例におけるオーバラップは、時間の点からみたチャネルの間のオーバラップのことを指すとともに、サブフレームにおいてはシンボルの間のオーバラップと考えられ得る。
【００６６】
具体的な実装プロセスにおいて、ユーザ装置ＵＥがステップ１０１を実行するまえに、当該方法は、第１のネットワーク側装置又は第２のネットワーク側装置により送信された参照時間ウィンドウ情報を受信するステップであって、参照時間ウィンドウ情報が、第１の送信電力及び第２の送信電力の割り当ての間に参照として使用される必要があるサブフレームを判定するために使用される、ステップを更に含む。
【００６７】
具体的には、ＵＥは、受信された参照時間ウィンドウ情報に従ってインジケータｋ及びｔを判定する。ｋ及びｔに従って、ステップ１０２における第１の送信電力及び第２の送信電力の割り当ての間に、図４において示されたように、第１のサブフレームｊ及び第２のサブフレームｉに加えて、サブフレームｊ＋１からサブフレームｊ＋ｋ及びサブフレームｉ＋１からサブフレームｉ＋ｋが参照として使用される必要がある、と判定され得る。例えば、この実施例において、ｔは１であり、そしてｋは０であり、すなわち、図２における実施例では、第３のチャネルが位置付けられている第３のサブフレームｉ＋１は参照として使用される必要がある。実際のアプリケーションにおいて、ｉ及びｊの値は０から９まで（０及び９を含む）の整数であり、ここで、ｊ＋１が９より大きい場合に、サブフレームｊ＋１はサブフレーム（ｊ＋１）ｍｏｄ１０と指定され、ｉ＋１が９より大きい場合に、サブフレームｉ＋１はサブフレーム（ｉ＋１）ｍｏｄ１０と指定され、ｊ−１が０より小さい場合に、サブフレームｊ−１はサブフレーム（ｊ−１）ｍｏｄ１０と指定され、ｉ−１が０より小さい場合に、サブフレームｉ−１はサブフレーム（ｉ−１）ｍｏｄ１０と指定され、ｋは０以上の整数であり、そしてｔは１以上の整数である。
【００６８】
参照として使用される必要があるサブフレームの異なる量のために、第１のチャネルが別々に第２のチャネル及び第３のチャネルとオーバラップすることを判定するステップ１０１を実行することに加えて、ＵＥは、第３のチャネルが第４のチャネルとオーバラップすることを更に判定する必要があり得るとともに、さらに、より多くのアップリンクチャネルがオーバラップすることを判定する必要があり得る。第３のチャネルが第４のチャネルとオーバラップすることをＵＥが判定する必要が更にある場合は、あとで更に説明される。
【００６９】
確かに、実際のアプリケーションでは、ＵＥ自体が、参照として使用される必要があるサブフレームを判定するとともに、判定される必要があるオーバラップ部分の量を更に判定する場合が更にある。その代わりに、事前設定に従って、ＵＥは、第１のチャネルが別々に第２のチャネル及び第３のチャネルとオーバラップすることを判定する必要があるだけか、又は事前設定に従って、ＵＥは、参照として指定された量のサブフレームを使用する。
【００７０】
具体的には、ステップ１０１のあとで、ステップ１０２のまえに、当該方法は、第３のチャネルの優先順位が、第４のチャネルの優先順位より高いか又は第４のチャネルの優先順位に等しいと少なくとも判定するステップを含む。この場合、第１のチャネルが別々に第２のチャネル及び第３のチャネルとオーバラップすることを判定したあとで、ＵＥは、第３のチャネルを参照として使用することを判定する。さらに、もし第３のチャネルの優先順位が第４のチャネルの優先順位より低いならば、第３のチャネルが第４のチャネルとオーバラップすることをＵＥが判定したあとで、第４のチャネルの優先順位が、第５のチャネルの優先順位より高いか又は第５のチャネルの優先順位に等しいとＵＥが更に判定する場合に、ＵＥは、第３のチャネル及び第４のチャネルを参照として使用することを判定する。そして、ＵＥは、次のチャネルの優先順位、例えば第５のチャネル及び第６のチャネルの優先順位を、次のチャネルの優先順位が現在のチャネルの優先順位より低いか又は現在のチャネルの優先順位に等しいサブフレーム位置、すなわち参照サブフレームのカットオフポイントを判定するまで更に比較し得る。比較的広い範囲が考慮される場合に、参照サブフレームの範囲は、参照時間ウィンドウを使用することにより同様に制限され得る。
【００７１】
チャネルの優先順位は、下記を含むが、下記には限定されない要因に従って判定され得る。優先順位は、チャネル種別に従って区別され、例えば、ＰＲＡＣＨ（Physical  Random  Access  Channel、物理ランダムアクセスチャネル）の優先順位は、ＰＵＣＣＨ（Physical  Uplink  Control  Channel、物理上りリンク制御チャネル）の優先順位より高く、ＰＵＣＣＨの優先順位は、ＵＣＩ（Uplink  Control  Information、アップリンク制御情報）を搬送するＰＵＳＣＨ（Physical  Uplink  Shared  Channel、物理上りリンク共有チャネル）の優先順位より高く、そしてＵＣＩを搬送するＰＵＳＣＨの優先順位は、ＵＣＩを搬送しないＰＵＳＣＨの優先順位より高い。その代わりに、優先順位は、搬送されるＵＣＩの重要性に従って区別され、例えば、ＨＡＲＱ−ＡＣＫ（Hybrid  Automatic  Repeat  Request−Acknowledgement、ハイブリッド自動再送要求−肯定応答）／ＳＲ（Scheduling  Request、スケジューリングリクエスト）を搬送するチャネルの優先順位は、ＣＳＩ（Channel  State  Information、チャネル状態情報）を搬送するチャネルの優先順位より高い。その代わりに、優先順位は、宛先のネットワーク側装置のタイプに従って区別され、例えば、マスタネットワーク側装置に対して送信されるアップリンクチャネルの優先順位は、セカンダリネットワーク側装置に対して送信されるアップリンクチャネルの優先順位より高い。
【００７２】
ＵＥは、第１のチャネルが別々に第２のチャネル及び第３のチャネルとオーバラップすることを判定し、それは、第１のネットワーク側装置及び第２のネットワーク側装置に対して送信されるアップリンクチャネルのアップリンクタイミングに従って、具体的に判定される。
【００７３】
ステップ１０２が実行され、第１のチャネルの優先順位及び第２のチャネルの優先順位に従って、第１の送信電力を第１のサブフレームｊの第１の部分及び第１のサブフレームｊの第２の部分に対して、そして第２の送信電力を第２のサブフレームｉに対して割り当てる。したがって、第１のサブフレームｊの第１の部分及び第１のサブフレームｊの第２の部分は等しい電力で送信され、すなわち、第１のサブフレームｊの全てのＳＣ−ＯＦＤＭＡシンボルは同じ電力で送信される。
【００７４】
第１の送信電力は第１の電力上限値より小さいか又は第１の電力上限値に等しく、第１の送信電力と第２の送信電力の和は事前設定された第１のしきい値より小さいか又は第１のしきい値に等しいとともに、第３のサブフレームｉ＋１の第３の送信電力と第１の電力上限値の和は事前設定された第２のしきい値より小さいか又は第２のしきい値に等しい。
【００７５】
概して、第１のしきい値及び第２のしきい値は、ＵＥの最大総送信電力になり得る。しかしながら、異なるオーバラップエリアにおける瞬間に、すなわち、異なるタイムセグメントにおいて、第１のしきい値及び第２のしきい値は、同じになり得るか、又は異なり得る。別の可能な実施方法において、第１のしきい値及び第２のしきい値の両方は、ユーザ又はシステムによって事前設定された他の値になり得るとともに、したがって、同じになり得るか、又は異なり得る。
【００７６】
具体的には、ステップ１０２は、第１のチャネルの優先順位及び第２のチャネルの優先順位に従って、第１のチャネル及び第２のチャネルのうちのどちらがより高い優先順位を有しているかを判定するステップと、第１のチャネルの優先順位が第２のチャネルの優先順位より高い場合に、まず第１の電力上限値に従って、同じ第１の送信電力を第１のサブフレームｊの第１の部分及び第１のサブフレームｊの第２の部分に対して割り当て、その結果、第１の送信電力は、第１の電力上限値より小さいか又は第１の電力上限値に等しくなり、次に第１のしきい値及び第１の送信電力に従って、第２の送信電力を第２のサブフレームｉに対して割り当て、その結果、第１の送信電力と第２の送信電力の和が事前設定された第１のしきい値より小さくなるか又は第１のしきい値に等しくなるか、又は第２のチャネルの優先順位が第１のチャネルの優先順位より高い場合に、まず第２の送信電力を第２のサブフレームｉに対して割り当て、次に第１のしきい値及び第１の電力上限値に従って、同じ第１の送信電力を第１のサブフレームｊの第１の部分及び第１のサブフレームｊの第２の部分に対して割り当て、その結果、第１の送信電力と第２の送信電力の和が事前設定された第１のしきい値より小さくなるか又は第１のしきい値に等しくなるとともに、第１の送信電力は、第１の電力上限値より小さくなるか又は第１の電力上限値に等しくなる、ステップとを具体的に含む。
【００７７】
さらに、第１のチャネルの優先順位が第２のチャネルの優先順位より高い場合に、同じ第１の送信電力を第１のサブフレームｊの第１の部分及び第１のサブフレームｊの第２の部分に対して割り当てることは、具体的には、第１のサブフレームｊの所要電力を第１の電力上限値と比較し、より小さい値を第１の送信電力として判定することである。
【００７８】
別の実施例において、第１のチャネルの優先順位が第２のチャネルの優先順位より高い場合に、同じ第１の送信電力を第１のサブフレームｊの第１の部分及び第１のサブフレームｊの第２の部分に対して割り当てることは、具体的には、第１のサブフレームｊの所要電力が第１の電力上限値より大きいかどうかを判定し、所要電力が第１の電力上限値より大きい場合に、所要電力を圧縮して、第１の電力上限値より小さいか又は第１の電力上限値に等しい第１の送信電力を獲得するか、又は所要電力が第１の電力上限値より小さいか又は第１の電力上限値に等しい場合に、所要電力を第１の送信電力として使用することである。所要電力は、第１のチャネルが位置付けられている第１のサブフレームｊを送信するためにＵＥにより必要とされる送信電力であり、一般に、所要電力は、第１のサブフレームｊのアップリンクスケジューリング情報及び電力制御命令のような情報に従って判定され得る。
【００７９】
前述の２つの場合では、第１のしきい値と第１の送信電力との間の差より小さいか又は差に等しい第２の送信電力が第２のサブフレームｉに対して割り当てられる。
【００８０】
さらに、第２のチャネルの優先順位が第１のチャネルの優先順位より高い場合に、同じ第１の送信電力を第１のサブフレームｊの第１の部分及び第１のサブフレームｊの第２の部分に対して割り当てることは、具体的には、第１のしきい値と第２の送信電力との間の差を獲得し、上記の差を第１の電力上限値と比較するとともに、上記の差、第１の電力上限値、及び第１のサブフレームｊの所要電力のうちの最小値を第１の送信電力として判定することを含む。別の可能な実施方法において、第１のしきい値及び第１の電力上限値に従って、同じ第１の送信電力を第１のサブフレームｊの第１の部分及び第１のサブフレームｊの第２の部分に対して割り当てることは、具体的には、第１のしきい値と第２の送信電力との間の差を獲得し、上記の差、第１の電力上限値、及び第１のサブフレームｊの所要電力をお互いに比較するとともに、上記の差が、第１の電力上限値より小さいか又は第１の電力上限値に等しく、そして第１のサブフレームｊの所要電力より小さいか又は第１のサブフレームｊの所要電力に等しい場合に、上記の差を第１の送信電力として判定し、第１の電力上限値が、上記の差より小さいか又は上記の差に等しく、そして第１のサブフレームｊの所要電力より小さいか又は第１のサブフレームｊの所要電力に等しい場合に、第１の電力上限値を第１の送信電力として判定し、第１のサブフレームｊの所要電力が、第１の電力上限値より小さいか又は第１の電力上限値に等しく、そして上記の差より小さいか又は上記の差に等しい場合に、第１のサブフレームｊの所要電力を第１の送信電力として判定することを含む。
【００８１】
さらに、第１のチャネルの優先順位が第２のチャネルの優先順位に等しい場合に、ステップ１０２は、第１のサブフレームｊの第１の所要サブ電力及び第２のサブフレームｉの第２の所要サブ電力を判定するとともに、第１の所要サブ電力と第２の所要サブ電力の電力和が第１のしきい値より大きいかどうかを判定するステップと、電力和が第１のしきい値より小さいか若しくは第１のしきい値に等しい場合に、第１の所要サブ電力及び第１の電力上限値のうちのより小さい値を第１の送信電力として使用するとともに、第２の所要サブ電力を第２の送信電力として使用するステップか、又は、電力和が第１のしきい値より大きい場合に、第１の所要サブ電力及び第２の所要サブ電力を等しい割合で圧縮して、それぞれ、第１の所要サブ電力に対応する第１の圧縮された所要サブ電力、及び第２の所要サブ電力に対応する第２の圧縮された所要サブ電力を獲得し、第１の圧縮された所要サブ電力と第２の圧縮された所要サブ電力の和が第１のしきい値より小さいか又は第１のしきい値に等しく、第１の圧縮された所要サブ電力及び第１の電力上限値のうちのより小さい値を第１の送信電力として使用するとともに、第１のしきい値と第１の送信電力との間の差より小さいか又は差に等しい第２の送信電力を第２のサブフレームｉに対して割り当てるステップとを具体的に含む。第１の所要サブ電力は、第１のチャネルが位置付けられている第１のサブフレームｊを送信するためにＵＥにより必要とされる送信電力であり、一般に、第１の所要サブ電力は、第１のサブフレームｊのアップリンクスケジューリング情報及び電力制御命令のような情報に従って判定されることができ、第２の所要サブ電力は、第２のチャネルが位置付けられている第２のサブフレームｉを送信するためにＵＥにより必要とされる送信電力であり、一般に、第２の所要サブ電力は、第２のサブフレームｉのアップリンクスケジューリング情報及び電力制御命令のような情報に従って同様に判定されることができる。
【００８２】
別の可能な実施方法において、電力和が第１のしきい値より小さいか若しくは第１のしきい値に等しい場合に、もし第１の所要サブ電力が第１の電力上限値より大きいならば、第１の所要サブ電力に対して電力圧縮が実行され、第１の電力上限値より小さいか又は第１の電力上限値に等しい圧縮された電力が獲得されるとともに、第１の送信電力として使用されるか、又は電力和が第１のしきい値より大きい場合に、もし第１の圧縮された所要サブ電力が第１の電力上限値より大きいならば、第１の電力上限値より小さいか又は第１の電力上限値に等しい再圧縮された電力を獲得するために第１の圧縮された所要サブ電力が更に圧縮され、そして再圧縮された電力が第１の送信電力として使用される。
【００８３】
下記は、第１の電力上限値を説明する。この実施例では、第３のサブフレームｉ＋１の第３の送信電力と第１の電力上限値の和は、事前設定された第２のしきい値より小さいか又は第２のしきい値に等しい。言い換えると、第１の電力上限値は、第２のしきい値、及び第３のサブフレームｉ＋１の第３の送信電力によって決まる。上記で説明されたように、第２のしきい値は、一般に、ＵＥの最大総送信電力か、又は第２のオーバラップエリアにおける別の設定値になり得る。概して、設定されたあとで、第２のしきい値は、対応するタイムセグメント内の固定値であり、したがって、第１の電力上限値の最終値は、第３の送信電力によって決まる。第３の送信電力は、第３のサブフレームｉ＋１の事前の送信電力であり、ここで、事前の送信電力は、第３のサブフレームｉ＋１の実際の所要電力であり得るか、又は第３のサブフレームｉ＋１の仮想の所要電力であり得る、という点に注意が必要である。したがって、この実施例では、次に送信されるべきサブフレーム、すなわち第３のサブフレームｉ＋１の事前の送信電力の要件は、現在送信されるべきサブフレーム、すなわち第１のサブフレームｊ及び第２のサブフレームｉの電力の割り当ての間に考慮される必要がある。言い換えると、現在送信されるべきサブフレームの所要電力と、次に送信されるべきサブフレームの事前の送信電力の要件の両方は、包括的に考慮される必要がある。したがって、この実施例における電力設定方法を使用することにより構成される電力は、より正確であり、現在のサブフレームのあとでＵＥにより送信された重要データの正確度を保証するとともに、ＵＥにより送信された重要データを受信する際のエラーレートを低下させる。
【００８４】
下記は、第１の電力上限値をどのように判定するかを説明する。ステップ１０２のまえに、当該方法は、少なくとも第３のチャネルの優先順位及び第１のチャネルの優先順位に従って第３の送信電力を判定するステップと、第２のしきい値及び第３の送信電力に従って第１の電力上限値を判定するステップとを更に含む。
【００８５】
第３のチャネルの優先順位が第１のチャネルの優先順位より高い場合に、第３のサブフレームｉ＋１の第３の送信電力が優先的に判定されるとともに、その場合に、第２のしきい値と第３の送信電力との間の差、又は上記の差より小さい値が、第１の送信電力になり得る。
【００８６】
第３のチャネルの優先順位が第１のチャネルの優先順位に等しい場合に、第３の送信電力と、第１のサブフレームｊの第１の事前の送信電力の両方が判定され、第３の送信電力と第１の事前の送信電力の電力和が第２のしきい値より大きいかどうかが判定され、電力和が第２のしきい値より小さいか又は第２のしきい値に等しい場合に、第２のしきい値と第３の送信電力との間の差、若しくは上記の差より小さい値が、第１の電力上限値になり得るか、又は、電力和が第２のしきい値より大きい場合に、圧縮のあとで獲得される電力和が第２のしきい値より小さくなるか又は第２のしきい値に等しくなるまで、第３の送信電力及び第１の事前の送信電力が等しい割合で圧縮され、それぞれ、第３の送信電力に対応する圧縮された第３の送信電力、及び第１の事前の送信電力に対応する圧縮された第１の事前の送信電力を獲得し、その場合に、圧縮された第１の事前の送信電力は第１の電力上限値になる。
【００８７】
第３のチャネルの優先順位が第１のチャネルの優先順位より低い場合に、第１のサブフレームｊの第１の事前の送信電力が優先的に判定されるとともに、その場合に、第２のしきい値と第１の事前の送信電力との間の差、又は上記の差より小さい値が、第３の送信電力として判定され、一方、第１の事前の送信電力は、第１の電力上限値になり得る。
【００８８】
好ましくは、第３のチャネルが位置付けられている第３のサブフレームｉ＋１の送信電力のみが考慮される場合に、第３の送信電力は、第３のチャネルの優先順位及び第１のチャネルの優先順位のみを考慮することにより判定されることができ、それは、第３のチャネルの優先順位及び第１のチャネルの優先順位に従って第３のサブフレームｉ＋１の第１の部分の送信電力を判定することを具体的に含む。他の次のサブフレームが考慮されないとともに、１つのサブフレームの全ての部分は等しい電力で送信される必要があり、すなわち、１つのサブフレームの全てのＳＣ−ＦＤＭＡシンボルは等しい電力で送信される必要があるので、第３のサブフレームｉ＋１の第１の部分の送信電力は第３の送信電力になる。１つのサブフレームの全てのＳＣ−ＦＤＭＡシンボルは等しい電力で送信される必要があり、それは、ネットワーク側装置が、送信された高次の１６ＱＡＭ変調されたデータの復調を実行するのを助ける。
【００８９】
第４のチャネルが同様に考慮され、すなわち、ｋ及びｔの値が１である場合に、同様に図５を参照すると、少なくとも第３のチャネルの優先順位及び第１のチャネルの優先順位に従って第３の送信電力を判定するステップのまえに、当該方法は、第３のチャネルが第４のチャネルとオーバラップすることを判定するステップであって、第３のサブフレームｉ＋１の第１の部分以外の第３のサブフレームｉ＋１の第２の部分と、第４のチャネルが位置付けられている第４のサブフレームｊ＋１の第１の部分との間にオーバラップ部分が存在し、そして、説明を簡単にするために、第３のオーバラップエリアと言われ、第４のサブフレームｊ＋１が第１のサブフレームｊの次のサブフレームであるとともに、第４のサブフレームｊ＋１が第１のネットワーク側装置に対してデータを送信するために使用される、ステップを更に含む。
【００９０】
したがって、この場合、少なくとも第３のチャネルの優先順位及び第１のチャネルの優先順位に従って第３の送信電力を判定するステップは、第３のチャネルの優先順位及び第１のチャネルの優先順位に従って第３のサブフレームｉ＋１の第１の部分の送信電力を判定するステップと、第３のチャネルの優先順位及び第４のチャネルの優先順位に従って第３のサブフレームｉ＋１の第２の部分の送信電力を判定するステップと、第３のサブフレームｉ＋１の第１の部分の送信電力及び第３のサブフレームｉ＋１の第２の部分の送信電力に従って第３の送信電力を判定するステップであって、第３の送信電力が第２の電力上限値より小さいか又は第２の電力上限値に等しいとともに、第２の電力上限値と第４のサブフレームｊ＋１の第４の送信電力の和が事前設定された第３のしきい値より小さいか又は第３のしきい値に等しい、ステップとを具体的に含む。
【００９１】
具体的には、第３のチャネルの優先順位及び第１のチャネルの優先順位に従って第３のサブフレームｉ＋１の第１の部分の送信電力を判定するステップと、第３のチャネルの優先順位及び第４のチャネルの優先順位に従って第３のサブフレームｉ＋１の第２の部分の送信電力を判定するステップは、チャネルの優先順位に従って送信電力を判定する前述のプロセスと同様であり、詳細は再度ここでは説明されない。第３の送信電力は、第３のサブフレームｉ＋１の第１の部分の送信電力及び第３のサブフレームｉ＋１の第２の部分の送信電力に従って判定される。例えば、第３のサブフレームｉ＋１の第１の部分の送信電力、第３のサブフレームｉ＋１の第２の部分の送信電力、及び第２の電力上限値のうちの最小値が、第３の送信電力として使用されるか、又は第３のサブフレームｉ＋１の第１の部分の送信電力、及び第３のサブフレームｉ＋１の第２の部分の送信電力のうちの最小値が、第２の電力上限値よりまだ大きい場合に、より小さい値に対して電力圧縮が実行され、その結果、圧縮された電力は、第２の電力上限値より小さくなるか又は第２の電力上限値に等しくなる。
【００９２】
第２の電力上限値と第４のサブフレームｊ＋１の第４の送信電力の和は事前設定された第３のしきい値より小さいか又は第３のしきい値に等しく、ここで、第３のしきい値は、一般に、第３のオーバラップエリアにおけるＵＥの最大総送信電力になるか、又はシステムによって構成されるか又はユーザによって設定される別の値であることができ、したがって、第１のしきい値、及び第２のしきい値と同じになるか又は異なることができる。
【００９３】
第４のチャネルが考慮される別の実施例において、ステップ１０２のまえに、当該方法は、第３のチャネルが第４のチャネルとオーバラップすることを判定するステップであって、第３のサブフレームｉ＋１の第１の部分以外の第３のサブフレームｉ＋１の第２の部分と、第４のチャネルが位置付けられている第４のサブフレームｊ＋１の第１の部分との間にオーバラップ部分が存在し、そして、説明を簡単にするために、第３のオーバラップエリアと言われ、第４のサブフレームｊ＋１が第１のサブフレームｊの次のサブフレームであるとともに、第４のサブフレームｊ＋１が第１のネットワーク側装置に対してデータを送信するために使用される、ステップと、第３のチャネルの優先順位及び第１のチャネルの優先順位に従って第３のサブフレームｉ＋１の第１の部分の送信電力を判定するステップと、第３のチャネルの優先順位及び第４のチャネルの優先順位に従って第３のサブフレームｉ＋１の第２の部分の送信電力を判定するステップと、第３のサブフレームｉ＋１の第１の部分の送信電力及び第３のサブフレームｉ＋１の第２の部分の送信電力に従って第３の送信電力を判定するステップであって、第３の送信電力が第２の電力上限値より小さいか又は第２の電力上限値に等しいとともに、第２の電力上限値と第４のサブフレームｊ＋１の第４の送信電力の和が事前設定された第３のしきい値より小さいか又は第３のしきい値に等しい、ステップとを更に含む。
【００９４】
さらに、第３のサブフレームｉ＋１の第１の部分の送信電力及び第３のサブフレームｉ＋１の第２の部分の送信電力に従って第３の送信電力を判定するステップのまえに、当該方法は、第３のチャネルの優先順位及び第４のチャネルの優先順位に従って第４の送信電力を判定するステップと、第３のしきい値及び第４の送信電力に従って第２の電力上限値を判定するステップとを更に含む。
【００９５】
この実施例では、具体的な実施方法については、第４のチャネルが考慮される以前の実施例における説明に対して参照が行われ、詳細は再度ここでは説明されない。
【００９６】
前述の実施例では、判定された第３の送信電力は、第３のサブフレームｉ＋１の事前の送信電力であり、ユーザ装置ＵＥが第４のサブフレームｊ＋１において第４のチャネルを介して第１のネットワーク側装置に対してデータを送信するとともに、ＵＥが第３のサブフレームｉ＋１において第３のチャネルを介して第２のネットワーク側装置に対してデータを送信する場合に、第３のサブフレームｉ＋１に対して割り当てられる実際の送信電力は、第３のサブフレームｉ＋１の事前の送信電力を超えず、すなわち、実際の送信電力は、第２のしきい値と第１の電力上限値との間の差より小さくなるか又は差に等しくなる、という点に注意が必要である。
【００９７】
具体的には、ＵＥが第１のサブフレームｊ及び第２のサブフレームｉを送信したあとで、図６を参照すると、当該方法は、ＵＥが第４のチャネルを介して第１のネットワーク側装置に対してデータを送信するとともに、ＵＥが第３のチャネルを介して第２のネットワーク側装置に対してデータを送信する場合に、第４のチャネルが、別々に第３のチャネル及び第５のチャネルとオーバラップすることを判定するステップであって、第４のチャネルが位置付けられている第４のサブフレームｊ＋１の第１の部分と、第３のサブフレームｉ＋１との間にオーバラップ部分が存在し、第４のサブフレームｊ＋１の第１の部分以外の第２の部分と、第５のチャネルが位置付けられている第５のサブフレームｉ＋２の第１の部分との間にオーバラップ部分が存在し、第５のサブフレームｉ＋２が第３のサブフレームｉ＋１の次のサブフレームであるとともに、第５のサブフレームｉ＋２が第２のネットワーク側装置に対してデータを送信するために使用される、ステップと、第４のチャネルの優先順位及び第３のチャネルの優先順位に従って、第４の送信電力を第４のサブフレームｊ＋１の第１の部分及び第４のサブフレームｊ＋１の第２の部分に対して割り当てるとともに、実際の送信電力を第３のサブフレームｉ＋１に対して割り当てるステップであって、第４の送信電力が、第３の電力上限値より小さいか又は第３の電力上限値に等しく、実際の送信電力が、第２のしきい値と第１の電力上限値との間の差より小さいか又は差に等しく、第４の送信電力と実際の送信電力の和が事前設定された第５のしきい値より小さいか又は第５のしきい値に等しいとともに、第５のサブフレームｉ＋２の第５の送信電力と第３の電力上限値の和が事前設定された第６のしきい値より小さいか又は第６のしきい値に等しい、ステップとを更に含む。
【００９８】
同様に、第１のサブフレームｊ及び第２のサブフレームｉの前のサブフレームｊ−１及びサブフレームｉ−１が送信されている場合に、第２のサブフレームｉが参照として使用されるか、又は第１のサブフレームｊと第２のサブフレームｉの両方が参照として使用され、その場合に、ステップ１０２における第２の送信電力の割り当ての間に、第２の送信電力が、第４のしきい値とサブフレームｊ−１の第３の電力上限値との間の差より小さくなるか又は差に等しくなることを保証することが同様に必要とされ、ここで、サブフレームｊ−１は、第１のサブフレームｊの前のサブフレームであり、サブフレームｊ−１は、第１のネットワーク側装置に対してデータを送信するために使用されるとともに、サブフレームｉ−１は、第２のサブフレームｉの前のサブフレームであり、サブフレームｉ−１は、第２のネットワーク側装置に対してデータを送信するために使用される。第４のしきい値は、一般に、サブフレームｊ−１とサブフレームｉとの間のオーバラップエリアにおけるＵＥの最大総送信電力であるか、システムによって構成されるか又はユーザによって設定される別の値であることができ、したがって、第１のしきい値、第２のしきい値、及び第３のしきい値と同じになるか又は異なることができる。
【００９９】
第５のしきい値及び第６のしきい値の意味は、第１のしきい値及び第２のしきい値の意味と同じである。第１のしきい値、第２のしきい値、第３のしきい値、第４のしきい値、第５のしきい値、及び第６のしきい値の具体的な値は、同じになり得るか、又は異なり得る、という点に注意が必要である。
【０１００】
任意に、第２のチャネル及び第３のチャネルは、マスタセルグループＭＣＧ又はプライマリキャリアグループに属するか、及び／又は、第１のチャネル及び第４のチャネルは、セカンダリセルグループＳＣＧ又はセカンダリキャリアグループに属する。
【０１０１】
したがって、この実施例では、第３の送信電力上限値は、第４の送信電力によって制限され、さらに、第３の送信電力は、第１の送信電力上限値を制限する。すなわち、第１の送信電力の割り当ての間に、第３のサブフレームｉ＋１と第４のサブフレームｊ＋１の両方の所要電力が考慮され、その結果、電力設定が更に適切になる。同様に、第５のサブフレームｉ＋２の所要電力が、第４の送信電力の上限値に対して考慮されることができ、ここで、第５のサブフレームｉ＋２は、第３のサブフレームｉ＋１の次のサブフレームであり、そして第５のサブフレームｉ＋２は、第２のネットワーク側装置に対してデータを送信するために使用される。類推によって、複数の次のサブフレームの所要電力は包括的に考慮されることができ、ここで、ＵＥは、上記で説明されたｋ及びｔに従って、次のサブフレームの具体的な量を判定することができ、次に、電力設定を実行する。明細書を簡潔にするために、詳細は再度ここでは説明されない。
【０１０２】
任意に、ステップ１０２のまえに、当該方法は、ＵＥの現在のモードがＤＣ（Dual  Connectivity、デュアルコネクティビティ）モードであることを判定するステップを更に含み、２つのネットワーク側装置は、ダウンリンク非同期であり、すなわち、２つのネットワーク側装置のダウンリンクサブフレーム伝送の開始の瞬間の間に時間差があり、すなわち非同期デュアルコネクティビティＤＣモードである。概して、このシナリオでは、アップリンクチャネルは相互にオーバラップする傾向があり、したがって、前述の実施例において説明された電力設定方法が電力設定のために使用される。
【０１０３】
任意に、電力設定が完了したあとで、当該方法は、ＵＥにより、データを第１のネットワーク側装置及び第２のネットワーク側装置に対してそれぞれ第１の送信電力及び第２の送信電力で送信するステップであって、送信されるデータが、下記には限定されないが、アップリンク制御情報及びユーザデータを含む、ステップを更に含む。
【０１０４】
任意に、ステップ１０２のまえに、当該方法は、第１のネットワーク側装置が具体的にセカンダリネットワーク側装置ＳｅＮＢであると判定するステップと、第２のネットワーク側装置が具体的にマスタネットワーク側装置ＭｅＮＢであると判定するステップとを更に含む。
【０１０５】
前述の実施例では、送信電力を割り当てる及び送信電力を判定するという２つの実行動作が存在し、電力をサブフレームに対して割り当てるステップにおいて、送信電力は実際の送信電力であり、サブフレームの送信電力を判定するステップにおいて、送信電力は現実的であるか又は仮想的であり得る、という点に注意が必要である。しかしながら、サブフレームに対して割り当てられた実際の送信電力は、サブフレームの送信電力より小さくなるか又はサブフレームの送信電力に等しくなる。
【０１０６】
下記は、本出願のこの実施例における電力設定方法の実装プロセスを説明するために、いくらかの具体的な実例を使用する。
【０１０７】
第１の実施方法：この実施方法では、図２を参照すると、電力を第１のサブフレームｊ及び第２のサブフレームｉに対して割り当てるステップの一例が説明のために使用され、ここで、第３のサブフレームｉ＋１の所要電力のみが参照として使用される。
【０１０８】
１番目に、ＵＥは、ステップ１０１を使用することにより、第１のチャネルが、別々に第２のチャネル及び第３のチャネルとオーバラップすることを判定する。
【０１０９】
２番目に、ＵＥは、第１のチャネルの優先順位及び第３のチャネルの優先順位に従って第３のサブフレームｉ＋１の第１の部分の送信電力を判定する。第３のサブフレームｉ＋１のみが考慮されるので、第３のサブフレームｉ＋１の第１の部分の送信電力は、第３のサブフレームｉ＋１の第３の送信電力として十分に使用され得る。
【０１１０】
３番目に、ＵＥは、第３の送信電力及び第２のしきい値に従って第１の電力上限値を判定し、ここで、第３の送信電力と第１の電力上限値の和は第２のしきい値より小さいか又は第２のしきい値に等しい。
【０１１１】
そして、ＵＥは、第１のチャネルの優先順位、第２のチャネルの優先順位、及び第１の電力上限値に従って、第１のサブフレームｊ及び第２のサブフレームｉに対してそれぞれ第１の送信電力及び第２の送信電力を割り当てるステップ１０２を実行し、その結果、第１の送信電力は、第１の電力上限値より小さくなるか又は第１の電力上限値に等しくなるとともに、第１の送信電力と第２の送信電力の和は、第１のしきい値より小さくなるか又は第１のしきい値に等しくなる。具体的な割り当て方法については、前述の説明を参照する。
【０１１２】
第２の実施方法：この実施方法では、図６を参照すると、第１のサブフレームｊ及び第２のサブフレームｉを送信したあとで、ＵＥは、第３のサブフレームｉ＋１及び第４のサブフレームｊ＋１を送信しようとしており、参照として使用される必要があるサブフレームは、第５のチャネルが位置付けられている第５のサブフレームｉ＋２である。この場合、電力を第３のサブフレームｉ＋１及び第４のサブフレームｊ＋１に対して割り当てるプロセスは、第１の実施方法における電力を第２のサブフレームｉ及び第１のサブフレームｊに対して割り当てるプロセスと基本的には同じであり、同じ部分は、再度ここでは説明されない。異なるのは、電力を第２のサブフレームｉ及び第１のサブフレームｊに対して割り当てるプロセスでは、第３の送信電力は第３のサブフレームｉ＋１のために判定され、第３の送信電力は第３のサブフレームｉ＋１の事前の送信電力であり、したがって、実際の送信電力が第３のサブフレームｉ＋１に対して割り当てられる場合に、第３のサブフレームｉ＋１の事前の送信電力は更に参照として使用される必要があり、ここで、実際の送信電力は、事前の送信電力より小さいか又は事前の送信電力に等しくなり、すなわち、第２のしきい値と第１の電力上限値との間の差より小さくなるか又は差に等しくなる、ということである。
【０１１３】
第３の実施方法：この実施方法では、図５を参照すると、電力を第１のサブフレームｊ及び第２のサブフレームｉに対して割り当てるステップの一例が説明のために使用され、ここで、第３のサブフレームｉ＋１及び第４のサブフレームｊ＋１の所要電力が参照として使用される。
【０１１４】
１番目に、ＵＥは、ステップ１０１を使用することにより、第１のチャネルが、別々に第２のチャネル及び第３のチャネルとオーバラップすることを判定するとともに、第３のチャネルが第４のチャネルとオーバラップすることを更に判定する。
【０１１５】
２番目に、ＵＥは、第１のチャネルの優先順位及び第３のチャネルの優先順位に従って第３のサブフレームｉ＋１の第１の部分の送信電力を判定し、第３のチャネルの優先順位及び第４のチャネルの優先順位に従って第３のサブフレームｉ＋１の第２の部分の送信電力を判定し、第３のチャネルの優先順位及び第４のチャネルの優先順位に従って第４のサブフレームｊ＋１の第４の送信電力を判定し、第３のしきい値及び第４の送信電力に従って第２の電力上限値を判定し、ここで、第２の電力上限値と第４の送信電力の和は事前設定された第３のしきい値より小さいか又は第３のしきい値に等しく、第３のサブフレームｉ＋１の第１の部分の送信電力及び第３のサブフレームｉ＋１の第２の部分の送信電力に従って第３の送信電力を判定し、ここで、第３の送信電力は第２の電力上限値より小さいか又は第２の電力上限値に等しい。
【０１１６】
３番目に、ＵＥは、第３の送信電力及び第２のしきい値に従って第１の電力上限値を判定し、ここで、第３の送信電力と第１の電力上限値の和は第２のしきい値より小さいか又は第２のしきい値に等しい。
【０１１７】
そして、ＵＥは、第１のチャネルの優先順位及び第２のチャネルの優先順位に従って、第１のサブフレームｊ及び第２のサブフレームｉに対してそれぞれ第１の送信電力及び第２の送信電力を割り当てるステップ１０２を実行し、その結果、第１の送信電力は、第１の電力上限値より小さくなるか又は第１の電力上限値に等しくなるとともに、第１の送信電力と第２の送信電力の和は、第１のしきい値より小さくなるか又は第１のしきい値に等しくなる。具体的な割り当て方法については、前述の説明を参照する。
【０１１８】
図３において示された方法のプロセスは、ユーザ装置ＵＥ側から説明されている。同じ発明概念に基づいて、第１のネットワーク側装置及び／又は第２のネットワーク側装置は、下記のステップ、すなわち、ユーザ装置ＵＥに対して参照時間ウィンドウ情報を送信するステップであって、参照時間ウィンドウ情報が、第１のチャネルが位置付けられている第１のサブフレームｊに対する第１の送信電力及び第２のチャネルが位置付けられている第２のサブフレームｉに対する第２の送信電力の割り当ての間に参照として使用される必要があるサブフレームをＵＥに対して指示するために使用される、ステップと、第１の送信電力で又は第２の送信電力でＵＥにより送信されたデータを受信するステップとを実行することができる。
【０１１９】
ＵＥが参照時間ウィンドウ情報を受信したあとで、少なくとも２つのチャネルの間のオーバラップに関する情報をどのように判定するか、及び別のサブフレームを用いて第１の送信電力及び第２の送信電力をどのように割り当てるかが、前述のＵＥの実装プロセスにおいて詳細に説明されたとともに、詳細は再度ここでは説明されない。
【実施例２】
【０１２０】
本出願の実施例は、ユーザ装置を更に提供する。図７を参照すると、ユーザ装置は、当該ユーザ装置が第１のチャネルを介して第１のネットワーク側装置に対してデータを送信するとともに、当該ユーザ装置が第２のチャネルを介して第２のネットワーク側装置に対してデータを送信する場合に、第１のチャネルが、別々に第２のチャネル及び第３のチャネルとオーバラップすることを判定し、第１のチャネルが位置付けられている第１のサブフレームｊの第１の部分と、第２のチャネルが位置付けられている第２のサブフレームｉとの間にオーバラップ部分が存在するとともに、第１のサブフレームｊの第１の部分以外の第２の部分と、第３のチャネルが位置付けられている第３のサブフレームｉ＋１の第１の部分との間にオーバラップ部分が存在し、第３のサブフレームｉ＋１が第２のサブフレームｉの次のサブフレームであるとともに、第３のサブフレームｉ＋１が第２のネットワーク側装置に対してデータを送信するために使用される、ように構成される第１の判定ユニット２０１と、第１のチャネルの優先順位及び第２のチャネルの優先順位に従って、第１の送信電力を第１のサブフレームｊの第１の部分及び第１のサブフレームｊの第２の部分に対して、そして第２の送信電力を第２のサブフレームｉに対して割り当て、第１の送信電力が第１の電力上限値より小さいか又は第１の電力上限値に等しく、第１の送信電力と第２の送信電力の和は事前設定された第１のしきい値より小さいか又は第１のしきい値に等しいとともに、第３のサブフレームｉ＋１の第３の送信電力と第１の電力上限値の和が事前設定された第２のしきい値より小さいか又は第２のしきい値に等しい、ように構成される割り当てユニット２０２とを含む。
【０１２１】
任意に、当該ユーザ装置は、少なくとも第３のチャネルの優先順位及び第１のチャネルの優先順位に従って第３の送信電力を判定するように構成される第２の判定ユニットと、第２のしきい値及び第３の送信電力に従って第１の電力上限値を判定するように構成される第３の判定ユニットとを更に含む。
【０１２２】
さらに、当該ユーザ装置は、第４の判定ユニットを更に含み、第４の判定ユニットは、第３のチャネルが第４のチャネルとオーバラップすることを判定し、第３のサブフレームｉ＋１の第１の部分以外の第３のサブフレームｉ＋１の第２の部分と、第４のチャネルが位置付けられている第４のサブフレームｊ＋１の第１の部分との間にオーバラップ部分が存在し、第４のサブフレームｊ＋１が第１のサブフレームｊの次のサブフレームであるとともに、第４のサブフレームｊ＋１が第１のネットワーク側装置に対してデータを送信するために使用される、ように構成され、第２の判定ユニットは、第３のチャネルの優先順位及び第１のチャネルの優先順位に従って第３のサブフレームｉ＋１の第１の部分の送信電力を判定し、第３のチャネルの優先順位及び第４のチャネルの優先順位に従って第３のサブフレームｉ＋１の第２の部分の送信電力を判定し、第３のサブフレームｉ＋１の第１の部分の送信電力及び第３のサブフレームｉ＋１の第２の部分の送信電力に従って第３の送信電力を判定し、第３の送信電力が第２の電力上限値より小さいか又は第２の電力上限値に等しいとともに、第２の電力上限値と第４のサブフレームｊ＋１の第４の送信電力の和が事前設定された第３のしきい値より小さいか又は第３のしきい値に等しい、ように具体的に構成される。
【０１２３】
任意に、第１のサブフレームｊ及び第２のサブフレームｉが送信されたあとで、第１の判定ユニット２０１は、当該ユーザ装置が第４のチャネルを介して第１のネットワーク側装置に対してデータを送信するとともに、当該ユーザ装置が第３のチャネルを介して第２のネットワーク側装置に対してデータを送信する場合に、第４のチャネルが、別々に第３のチャネル及び第５のチャネルとオーバラップすることを判定し、第４のチャネルが位置付けられている第４のサブフレームｊ＋１の第１の部分と、第３のサブフレームｉ＋１との間にオーバラップ部分が存在し、第４のサブフレームｊ＋１の第１の部分以外の第２の部分と、第５のチャネルが位置付けられている第５のサブフレームｉ＋２の第１の部分との間にオーバラップ部分が存在し、第５のサブフレームｉ＋２が第３のサブフレームｉ＋１の次のサブフレームであるとともに、第５のサブフレームｉ＋２が第２のネットワーク側装置に対してデータを送信するために使用される、ように更に構成され、割り当てユニット２０２は、第４のチャネルの優先順位及び第３のチャネルの優先順位に従って、第４の送信電力を第４のサブフレームｊ＋１の第１の部分及び第４のサブフレームｊ＋１の第２の部分に対して、そして実際の送信電力を第３のサブフレームｉ＋１に対して割り当て、第４の送信電力が、第３の電力上限値より小さいか又は第３の電力上限値に等しく、実際の送信電力が、第２のしきい値と第１の電力上限値との間の差より小さいか又は差に等しく、第４の送信電力と実際の送信電力の和が事前設定された第５のしきい値より小さいか又は第５のしきい値に等しいとともに、第５のサブフレームｉ＋２の第５の送信電力と第３の電力上限値の和が事前設定された第６のしきい値より小さいか又は第６のしきい値に等しい、ように更に構成される。
【０１２４】
任意に、当該ユーザ装置は、第３のチャネルが第４のチャネルとオーバラップすることを判定し、第３のサブフレームｉ＋１の第１の部分以外の第３のサブフレームｉ＋１の第２の部分と、第４のチャネルが位置付けられている第４のサブフレームｊ＋１の第１の部分との間にオーバラップ部分が存在し、第４のサブフレームｊ＋１が第１のサブフレームｊの次のサブフレームであるとともに、第４のサブフレームｊ＋１が第１のネットワーク側装置に対してデータを送信するために使用される、ように構成される第４の判定ユニットと、第３のチャネルの優先順位及び第１のチャネルの優先順位に従って第３のサブフレームｉ＋１の第１の部分の送信電力を判定し、第３のチャネルの優先順位及び第４のチャネルの優先順位に従って第３のサブフレームｉ＋１の第２の部分の送信電力を判定し、第３のサブフレームｉ＋１の第１の部分の送信電力及び第３のサブフレームｉ＋１の第２の部分の送信電力に従って第３の送信電力を判定し、第３の送信電力が第２の電力上限値より小さいか又は第２の電力上限値に等しいとともに、第２の電力上限値と第４のサブフレームｊ＋１の第４の送信電力の和が事前設定された第３のしきい値より小さいか又は第３のしきい値に等しい、ように具体的に構成される第２の判定ユニットとを更に含む。
【０１２５】
さらに、当該ユーザ装置は、第３のチャネルの優先順位及び第４のチャネルの優先順位に従って第４の送信電力を判定するように構成される第５の判定ユニットと、第３のしきい値及び第４の送信電力に従って第２の電力上限値を判定するように構成される第６の判定ユニットとを更に含む。
【０１２６】
前述の実施例に関連して、当該ユーザ装置は、当該ＵＥの現在のモードが非同期デュアルコネクティビティＤＣモードであることを判定するように構成される第７の判定ユニットを更に含む。
【０１２７】
前述の実施例に関連して、当該ユーザ装置は、第１のネットワーク側装置又は第２のネットワーク側装置により送信された参照時間ウィンドウ情報を受信し、参照時間ウィンドウ情報が、第１の送信電力及び第２の送信電力の割り当ての間に参照として使用される必要があるサブフレームを判定するために使用される、ように構成される受信ユニットを更に含む。
【０１２８】
前述の実施例に関連して、当該ユーザ装置は、第３のチャネルの優先順位が第４のチャネルの優先順位より高いか又は第４のチャネルの優先順位に等しいと少なくとも判定するように構成される第８の判定ユニットを更に含む。
【０１２９】
前述の実施例に関連して、第１のチャネルの優先順位が第２のチャネルの優先順位より高い場合に、割り当てユニット２０２は、第１のサブフレームｊの所要電力が第１の電力上限値より大きいかどうかを判定し、所要電力が第１の電力上限値より大きい場合に、所要電力を圧縮して、第１の電力上限値より小さいか又は第１の電力上限値に等しい第１の送信電力を獲得する、若しくは第１の電力上限値を第１の送信電力として判定するか、又は、所要電力が第１の電力上限値より小さいか又は第１の電力上限値に等しい場合に、所要電力を第１の送信電力として使用するとともに、第１のしきい値と第１の送信電力との間の差より小さいか又は差に等しい第２の送信電力を第２のサブフレームｉに対して割り当てる、ように具体的に構成される。
【０１３０】
前述の実施例に関連して、第１のチャネルの優先順位が第２のチャネルの優先順位に等しい場合に、割り当てユニット２０２は、第１のサブフレームｊの第１の所要サブ電力及び第２のサブフレームｉの第２の所要サブ電力を判定するとともに、第１の所要サブ電力と第２の所要サブ電力の電力和が第１のしきい値より大きいかどうかを判定し、電力和が第１のしきい値より小さいか若しくは第１のしきい値に等しい場合に、第１の所要サブ電力及び第１の電力上限値のうちのより小さい値を第１の送信電力として使用するとともに、第２の所要サブ電力を第２の送信電力として使用するか、又は、電力和が第１のしきい値より大きい場合に、第１の所要サブ電力及び第２の所要サブ電力を等しい割合で圧縮して、それぞれ、第１の所要サブ電力に対応する第１の圧縮された所要サブ電力、及び第２の所要サブ電力に対応する第２の圧縮された所要サブ電力を獲得し、第１の圧縮された所要サブ電力と第２の圧縮された所要サブ電力の和が第１のしきい値より小さいか又は第１のしきい値に等しく、第１の圧縮された所要サブ電力及び第１の電力上限値のうちのより小さい値を第１の送信電力として使用するとともに、第１のしきい値と第１の送信電力との間の差より小さいか又は差に等しい第２の送信電力を第２のサブフレームｉに対して割り当てる、ように具体的に構成される。
【０１３１】
前述の実施例に関連して、第２の送信電力は、第４のしきい値とサブフレームｊ−１の第３の電力上限値との間の差より小さいか又は差に等しく、サブフレームｊ−１は第１のサブフレームｊの前のサブフレームであるとともに、サブフレームｊ−１は第１のネットワーク側装置に対してデータを送信するために使用される。
【０１３２】
前述の実施例に関連して、当該ユーザ装置は、第１のネットワーク側装置が具体的にセカンダリネットワーク側装置ＳｅＮＢであると判定するとともに、第２のネットワーク側装置が具体的にマスタネットワーク側装置ＭｅＮＢであると判定するように構成される第９の判定ユニットを更に含む。
【０１３３】
図３の実施例における電力設定方法の様々な変化形態及び具体的な実例が、同様に、この実施例におけるユーザ装置に適用できる。電力設定方法の前述の詳細な説明から、当業者は、この実施例におけるユーザ装置の実施方法を明確に理解することができる。明細書を簡潔にするために、詳細は再度ここでは説明されない。
【実施例３】
【０１３４】
実施例は、ユーザ装置を更に提供する。図８を参照すると、図８は、ユーザ装置のハードウェア実装例の構成図である。ユーザ装置は、命令を記憶するように構成されるメモリ３０１と、メモリ３０１に連結されたプロセッサ３０２とを含み、ここで、プロセッサ３０２は、記憶された命令を実行して、下記の、当該ユーザ装置が第１のチャネルを介して第１のネットワーク側装置に対してデータを送信するとともに、当該ユーザ装置が第２のチャネルを介して第２のネットワーク側装置に対してデータを送信する場合に、第１のチャネルが、別々に第２のチャネル及び第３のチャネルとオーバラップすることを判定するステップであって、第１のチャネルが位置付けられている第１のサブフレームｊの第１の部分と、第２のチャネルが位置付けられている第２のサブフレームｉとの間にオーバラップ部分が存在するとともに、第１のサブフレームｊの第１の部分以外の第２の部分と、第３のチャネルが位置付けられている第３のサブフレームｉ＋１の第１の部分との間にオーバラップ部分が存在し、第３のサブフレームｉ＋１が第２のサブフレームｉの次のサブフレームであるとともに、第３のサブフレームｉ＋１が第２のネットワーク側装置に対してデータを送信するために使用される、ステップと、第１のチャネルの優先順位及び第２のチャネルの優先順位に従って、第１の送信電力を第１のサブフレームｊの第１の部分及び第１のサブフレームｊの第２の部分に対して、そして第２の送信電力を第２のサブフレームｉに対して割り当てるステップであって、第１の送信電力が第１の電力上限値より小さいか又は第１の電力上限値に等しく、第１の送信電力と第２の送信電力の和は事前設定された第１のしきい値より小さいか又は第１のしきい値に等しいとともに、第３のサブフレームｉ＋１の第３の送信電力と第１の電力上限値の和が事前設定された第２のしきい値より小さいか又は第２のしきい値に等しい、ステップとを遂行する。
【０１３５】
図８では、バス構造において（バス３００を使用することにより示される）、バス３００は、あらゆる量の相互接続されたバス及びブリッジを含んでもよく、バス３００は、プロセッサ３０２により表された１つ又は複数のプロセッサを含む様々な回路と、メモリ３０１により表された１つ又は複数のメモリとを相互接続する。バス３００は、周辺装置、電圧調整器、及び電源管理回路のような様々な他の回路を更に相互接続し得る。これらは、全て当該技術において周知であり、したがって、本明細書では更に説明されない。バスインタフェース３０３は、バス３００と受信機３０４との間、及びバス３００と送信機３０５との間のインタフェースを提供する。受信機３０４及び送信機３０５は、同じコンポーネント、すなわちトランシーバであることができ、それは、伝送媒体を介して様々なタイプの他の装置と通信するように構成されるユニットを提供する。ユーザ装置の性質に応じて、ユーザインタフェース３０６は、例えば、キーパッド、ディスプレイ、ラウドスピーカ、マイクロホン、及びジョイスティックを更に提供され得る。
【０１３６】
プロセッサ３０２は、バス３００の管理及び一般的処理に関与し、一方、メモリ３０１は、プロセッサ３０２が動作を実行する場合に使用されるデータを記憶するように構成され得る。
【０１３７】
任意に、プロセッサ３０２は、第１のチャネルの優先順位及び第２のチャネルの優先順位に従って、第１の送信電力を第１のサブフレームｊの第１の部分及び第１のサブフレームｊの第２の部分に対して、そして第２の送信電力を第２のサブフレームｉに対して割り当てるステップのまえに、少なくとも第３のチャネルの優先順位及び第１のチャネルの優先順位に従って第３の送信電力を判定するとともに、第２のしきい値及び第３の送信電力に従って第１の電力上限値を判定するように更に具体的に構成される。
【０１３８】
さらに、プロセッサ３０２は、少なくとも第３のチャネルの優先順位及び第１のチャネルの優先順位に従って第３の送信電力を判定するステップのまえに、第３のチャネルが第４のチャネルとオーバラップすることを判定し、第３のサブフレームｉ＋１の第１の部分以外の第３のサブフレームｉ＋１の第２の部分と、第４のチャネルが位置付けられている第４のサブフレームｊ＋１の第１の部分との間にオーバラップ部分が存在し、第４のサブフレームｊ＋１が第１のサブフレームｊの次のサブフレームであるとともに、第４のサブフレームｊ＋１が第１のネットワーク側装置に対してデータを送信するために使用され、第３のチャネルの優先順位及び第１のチャネルの優先順位に従って第３のサブフレームｉ＋１の第１の部分の送信電力を判定し、第３のチャネルの優先順位及び第４のチャネルの優先順位に従って第３のサブフレームｉ＋１の第２の部分の送信電力を判定し、第３のサブフレームｉ＋１の第１の部分の送信電力及び第３のサブフレームｉ＋１の第２の部分の送信電力に従って第３の送信電力を判定し、第３の送信電力が第２の電力上限値より小さいか又は第２の電力上限値に等しいとともに、第２の電力上限値と第４のサブフレームｊ＋１の第４の送信電力の和が事前設定された第３のしきい値より小さいか又は第３のしきい値に等しい、ように具体的に構成される。
【０１３９】
任意に、第１のサブフレームｊ及び第２のサブフレームｉが送信されたあとで、プロセッサ３０２は、当該ユーザ装置が第４のチャネルを介して第１のネットワーク側装置に対してデータを送信するとともに、当該ユーザ装置が第３のチャネルを介して第２のネットワーク側装置に対してデータを送信する場合に、第４のチャネルが、別々に第３のチャネル及び第５のチャネルとオーバラップすることを判定し、第４のチャネルが位置付けられている第４のサブフレームｊ＋１の第１の部分と、第３のサブフレームｉ＋１との間にオーバラップ部分が存在し、第４のサブフレームｊ＋１の第１の部分以外の第２の部分と、第５のチャネルが位置付けられている第５のサブフレームｉ＋２の第１の部分との間にオーバラップ部分が存在し、第５のサブフレームｉ＋２が第３のサブフレームｉ＋１の次のサブフレームであるとともに、第５のサブフレームｉ＋２が第２のネットワーク側装置に対してデータを送信するために使用され、第４のチャネルの優先順位及び第３のチャネルの優先順位に従って、第４の送信電力を第４のサブフレームｊ＋１の第１の部分及び第４のサブフレームｊ＋１の第２の部分に対して、そして実際の送信電力を第３のサブフレームｉ＋１に対して割り当て、第４の送信電力が、第３の電力上限値より小さいか又は第３の電力上限値に等しく、実際の送信電力が、第２のしきい値と第１の電力上限値との間の差より小さいか又は差に等しく、第４の送信電力と実際の送信電力の和が事前設定された第５のしきい値より小さいか又は第５のしきい値に等しいとともに、第５のサブフレームｉ＋２の第５の送信電力と第３の電力上限値の和が事前設定された第６のしきい値より小さいか又は第６のしきい値に等しい、ように具体的に構成される。
【０１４０】
任意に、プロセッサ３０２は、第１のチャネルの優先順位及び第２のチャネルの優先順位に従って、第１の送信電力を第１のサブフレームｊの第１の部分及び第１のサブフレームｊの第２の部分に対して、そして第２の送信電力を第２のサブフレームｉに対して割り当てるステップのまえに、第３のチャネルが第４のチャネルとオーバラップすることを判定し、第３のサブフレームｉ＋１の第１の部分以外の第３のサブフレームｉ＋１の第２の部分と、第４のチャネルが位置付けられている第４のサブフレームｊ＋１の第１の部分との間にオーバラップ部分が存在し、第４のサブフレームｊ＋１が第１のサブフレームｊの次のサブフレームであるとともに、第４のサブフレームｊ＋１が第１のネットワーク側装置に対してデータを送信するために使用され、第３のチャネルの優先順位及び第１のチャネルの優先順位に従って第３のサブフレームｉ＋１の第１の部分の送信電力を判定し、第３のチャネルの優先順位及び第４のチャネルの優先順位に従って第３のサブフレームｉ＋１の第２の部分の送信電力を判定し、第３のサブフレームｉ＋１の第１の部分の送信電力及び第３のサブフレームｉ＋１の第２の部分の送信電力に従って第３の送信電力を判定し、第３の送信電力が第２の電力上限値より小さいか又は第２の電力上限値に等しいとともに、第２の電力上限値と第４のサブフレームｊ＋１の第４の送信電力の和が事前設定された第３のしきい値より小さいか又は第３のしきい値に等しい、ように更に具体的に構成される。
【０１４１】
さらに、プロセッサ３０２は、第３のサブフレームｉ＋１の第１の部分の送信電力及び第３のサブフレームｉ＋１の第２の部分の送信電力に従って第３の送信電力を判定するステップのまえに、第３のチャネルの優先順位及び第４のチャネルの優先順位に従って第４の送信電力を判定するとともに、第３のしきい値及び第４の送信電力に従って第２の電力上限値を判定する、ように更に具体的に構成される。
【０１４２】
前述の実施例に関連して、プロセッサ３０２は、第１の送信電力を第１のサブフレームｊの第１の部分及び第１のサブフレームｊの第２の部分に対して、そして第２の送信電力を第２のサブフレームｉに対して割り当てるステップのまえに、ＵＥの現在のモードが非同期デュアルコネクティビティＤＣモードであることを判定するように更に具体的に構成される。
【０１４３】
前述の実施例に関連して、当該ユーザ装置は、当該ＵＥが第１の送信電力を第１のサブフレームｊの第１の部分、及び第１の部分以外の第２の部分に対して割り当て、そして第２の送信電力を第２のチャネルの第２のサブフレームｉに対して割り当てるまえに、第１のネットワーク側装置又は第２のネットワーク側装置により送信された参照時間ウィンドウ情報を受信し、参照時間ウィンドウ情報が、第１の送信電力及び第２の送信電力の割り当ての間に参照として使用される必要があるサブフレームを判定するために使用される、ように構成される受信機３０４を更に含む。
【０１４４】
前述の実施例に関連して、プロセッサ３０２は、当該ＵＥが第１の送信電力を第１のサブフレームｊの第１の部分、及び第１の部分以外の第２の部分に対して割り当て、そして第２の送信電力を第２のチャネルの第２のサブフレームｉに対して割り当てるまえに、第３のチャネルの優先順位が第４のチャネルの優先順位より高いか又は第４のチャネルの優先順位に等しいと少なくとも判定するように更に具体的に構成される。
【０１４５】
前述の実施例に関連して、プロセッサ３０２は、第１のサブフレームｊの所要電力が第１の電力上限値より大きいかどうかを判定し、所要電力が第１の電力上限値より大きい場合に、所要電力を圧縮して、第１の電力上限値より小さいか又は第１の電力上限値に等しい第１の送信電力を獲得する、若しくは第１の電力上限値を第１の送信電力として判定するか、又は、所要電力が第１の電力上限値より小さいか又は第１の電力上限値に等しい場合に、所要電力を第１の送信電力として使用するとともに、第１のしきい値と第１の送信電力との間の差より小さいか又は差に等しい第２の送信電力を第２のサブフレームｉに対して割り当てる、ように具体的に構成される。
【０１４６】
前述の実施例に関連して、プロセッサ３０２は、第１のサブフレームｊの第１の所要サブ電力及び第２のサブフレームｉの第２の所要サブ電力を判定するとともに、第１の所要サブ電力と第２の所要サブ電力の電力和が第１のしきい値より大きいかどうかを判定し、電力和が第１のしきい値より小さいか若しくは第１のしきい値に等しい場合に、第１の所要サブ電力及び第１の電力上限値のうちのより小さい値を第１の送信電力として使用するとともに、第２の所要サブ電力を第２の送信電力として使用するか、又は、電力和が第１のしきい値より大きい場合に、第１の所要サブ電力及び第２の所要サブ電力を等しい割合で圧縮して、それぞれ、第１の所要サブ電力に対応する第１の圧縮された所要サブ電力、及び第２の所要サブ電力に対応する第２の圧縮された所要サブ電力を獲得し、第１の圧縮された所要サブ電力と第２の圧縮された所要サブ電力の和が第１のしきい値より小さいか又は第１のしきい値に等しく、第１の圧縮された所要サブ電力及び第１の電力上限値のうちのより小さい値を第１の送信電力として使用するとともに、第１のしきい値と第１の送信電力との間の差より小さいか又は差に等しい第２の送信電力を第２のサブフレームｉに対して割り当てる、ように具体的に構成される。
【０１４７】
前述の実施例に関連して、第２の送信電力は、第４のしきい値とサブフレームｊ−１の第３の電力上限値との間の差より小さいか又は差に等しく、サブフレームｊ−１は第１のサブフレームｊの前のサブフレームであるとともに、サブフレームｊ−１は第１のネットワーク側装置に対してデータを送信するために使用される。
【０１４８】
前述の実施例に関連して、第１のネットワーク側装置は具体的にセカンダリネットワーク側装置ＳｅＮＢであるとともに、第２のネットワーク側装置は具体的にマスタネットワーク側装置ＭｅＮＢである。
【０１４９】
図３の実施例における電力設定方法の様々な変化形態及び具体的な実例が、同様に、この実施例におけるユーザ装置に適用できる。電力設定方法の前述の詳細な説明から、当業者は、この実施例におけるユーザ装置の実施方法を明確に理解することができる。明細書を簡潔にするために、詳細は再度ここでは説明されない。
【実施例４】
【０１５０】
実施例は、基地局を提供する。図９を参照すると、基地局は、ユーザ装置ＵＥに対して参照時間ウィンドウ情報を送信し、参照時間ウィンドウ情報が、第１のチャネルが位置付けられている第１のサブフレームｊに対する第１の送信電力及び第２のチャネルが位置付けられている第２のサブフレームｉに対する第２の送信電力の割り当ての間に参照として使用される必要があるサブフレームをＵＥに対して指示するために使用される、ように構成される送信ユニット４０１と、第１の送信電力でＵＥにより送信された第１のチャネル上のデータ又は第２の送信電力でＵＥにより送信された第２のチャネル上のデータを受信するように構成される受信ユニット４０２とを含む。
【０１５１】
前述の実施例における電力設定方法の様々な変化形態及び具体的な実例が、同様に、この実施例における基地局に適用できる。電力設定方法の前述の詳細な説明から、当業者は、この実施例における基地局の実施方法を明確に理解することができる。明細書を簡潔にするために、詳細は再度ここでは説明されない。
【実施例５】
【０１５２】
実施例は、基地局を提供する。図１０を参照すると、図１０は、基地局のハードウェア実装例の概念図である。基地局は、ユーザ装置ＵＥに対して参照時間ウィンドウ情報を送信し、参照時間ウィンドウ情報が、第１のチャネルが位置付けられている第１のサブフレームｊに対する第１の送信電力及び第２のチャネルが位置付けられている第２のサブフレームｉに対する第２の送信電力の割り当ての間に参照として使用される必要があるサブフレームをＵＥに対して指示するために使用される、ように構成される送信機５０１と、第１の送信電力でＵＥにより送信された第１のチャネル上のデータ又は第２の送信電力でＵＥにより送信された第２のチャネル上のデータを受信するように構成される受信機５０２とを含む。
【０１５３】
さらに、図１０では、バス構造において（バス５００を使用することにより示される）、バス５００は、あらゆる量の相互接続されたバス及びブリッジを含んでもよく、バス５００は、プロセッサ５０４により表された１つ又は複数のプロセッサを含む様々な回路と、メモリ５０６により表された１つ又は複数のメモリとを相互接続する。バス５００は、周辺装置、電圧調整器、及び電源管理回路のような様々な他の回路を更に相互接続し得る。これらは、全て当該技術において周知であり、したがって、本明細書では更に説明されない。バスインタフェース５０３は、バス５００と受信機５０２との間、及び／又はバス５００と送信機５０１との間のインタフェースを提供する。受信機５０２及び送信機５０１は、同じコンポーネント、すなわちトランシーバであることができ、それは、伝送媒体を介して様々なタイプの他の装置と通信するように構成されるユニットを提供する。プロセッサ５０４を使用することにより処理されたデータは、アンテナ５０５を通して無線媒体を介して伝送される。さらに、アンテナ５０５は、更に、データを受信し、そしてデータをプロセッサ５０４に転送する。
【０１５４】
受信機５０２は、更に、アンテナ５０５を使用することによりデータを受信し、データを処理してキャリアに対して変調される情報を復元するとともに、各フレームを構文解析する受信フレームプロセッサに対して、受信機５０２により復元された情報を提供する。受信フレームプロセッサは、フレームに関する復号を実行し、そして首尾よく復号された制御信号をプロセッサ５０４に提供する。もし受信プロセッサにより首尾よく復号されることができないいくつかのフレームが存在するならば、プロセッサ５０４は、更に、それらのフレームに対する再伝送要求をサポートするＡＣＫ及び／又はＮＡＣＫプロトコルを使用し得る。
【０１５５】
プロセッサ５０４は、バス５００の管理及び一般的処理に関与するとともに、更に、時間調整、周辺インタフェース、電圧調整、電源管理、及び他の制御機能を含む様々な機能を提供し得る。メモリ５０６は、プロセッサ５０４が動作を実行する場合に使用されるデータを記憶するように構成され得る。
【０１５６】
前述の実施例における電力設定方法の様々な変化形態及び具体的な実例が、同様に、この実施例における基地局に適用できる。電力設定方法の前述の詳細な説明から、当業者は、この実施例における基地局の実施方法を明確に理解することができる。明細書を簡潔にするために、詳細は再度ここでは説明されない。
【０１５７】
本出願の実施例において提供される１つ又は複数の技術的解決法は、少なくとも下記の技術的な効果又は利点を有している。
【０１５８】
本出願の実施例における電力設定方法によれば、ユーザ装置ＵＥが第１のチャネルを介して第１のネットワーク側装置に対してデータを送信するとともに、ＵＥが第２のチャネルを介して第２のネットワーク側装置に対してデータを送信する場合に、第１のチャネルの優先順位及び第２のチャネルの優先順位に従って、第１の送信電力が第１のサブフレームｊの第１の部分及び第１のサブフレームｊの第２の部分に対して割り当てられ、そして第２の送信電力が第２のサブフレームｉに対して割り当てられ、ここで、第１の送信電力は第１の電力上限値より小さいか又は第１の電力上限値に等しく、第１の送信電力と第２の送信電力の和は事前設定された第１のしきい値より小さいか又は第１のしきい値に等しいとともに、第３のサブフレームｉ＋１の第１の部分の送信電力と第１の電力上限値の和は事前設定された第２のしきい値より小さいか又は第２のしきい値に等しい。したがって、この実施例では、第１の送信電力の割り当ての間に、第１のチャネル及び第２のチャネルの優先順位ばかりでなく、第１の送信電力の上限値も考慮され、第１の電力上限値は、第３のサブフレームｉ＋１の第１の部分の送信電力に関連している。言い換えると、この実施例では、第１の電力上限値が、現在の送信サブフレームの要件のみを考慮する代わりに、第３のサブフレームｉ＋１のために必要とされる送信電力を参照して第１の送信電力に対して設定され、その結果、その後に送信されるべきサブフレームの要件が保証される。したがって、この実施例における電力設定方法を使用することにより構成される電力は、より正確であり、電力が重要な情報に適切に割り当てられることを保証する。
【０１５９】
当業者は、本出願の実施例が、方法、システム、又はコンピュータプログラム製品として提供され得ることを理解するべきである。したがって、本出願は、ハードウェアのみの実施例、ソフトウェアのみの実施例、又は、ソフトウェアとハードウェアの組み合わせによる実施例の形式を使用し得る。さらに、本発明は、コンピュータが使用可能なプログラムコードを含む（ディスクメモリ、光メモリなどを含むが、それに限定されない）１つ又は複数のコンピュータが使用可能な記憶媒体によって実施されるコンピュータプログラム製品の形式を使用し得る。
【０１６０】
本出願は、本発明の実施例による方法、装置（システム）、並びにコンピュータプログラム製品のフローチャート及び／又は構成図を参照して説明される。コンピュータプログラム命令が、フローチャート及び／又は構成図における各処理及び／又は各ブロック、並びにフローチャート及び／又は構成図における処理及び／又はブロックの組み合わせを実施するために使用され得る、ということが理解されるべきである。これらのコンピュータプログラム命令は、機械を生成するために、汎用コンピュータ、専用コンピュータ、埋込み型プロセッサ、又はあらゆる他のプログラム可能データ処理装置のプロセッサに提供されることができ、その結果、コンピュータ、又はあらゆる他のプログラム可能データ処理装置のプロセッサにより実行された命令は、フローチャートにおける１つ若しくは複数の処理の具体的な機能、及び／又は構成図における１つ若しくは複数のブロックの具体的な機能を実施するための装置を生成する。
【０１６１】
これらのコンピュータプログラム命令は、同様に、コンピュータ又はあらゆる他のプログラム可能データ処理装置に具体的な方法において機能するように指示することができるコンピュータ読み取り可能メモリに記憶されることができ、その結果、コンピュータ読み取り可能メモリに記憶される命令は、命令装置を含む人工物を生成する。命令装置は、フローチャートにおける１つ若しくは複数の処理の具体的な機能、及び／又は構成図における１つ若しくは複数のブロックの具体的な機能を実施する。
【０１６２】
これらのコンピュータプログラム命令は、同様に、コンピュータ又は別のプログラム可能データ処理装置にロードされることができ、その結果、一連の動作及びステップがコンピュータ又は別のプログラム可能データ処理装置上で実行され、それにより、コンピュータ実施処理を生成する。したがって、コンピュータ又は別のプログラム可能データ処理装置上で実行された命令は、フローチャートにおける１つ若しくは複数の処理の具体的な機能、及び／又は構成図における１つ若しくは複数のブロックの具体的な機能を実施するためのステップを提供する。
【０１６３】
明らかに、当業者は、本出願の精神及び範囲からはずれずに、本出願に様々な修正及び変更を行うことができる。本出願は、これらの修正及び変更が添付の請求項及びそれらの同等の技術により定義された保護の範囲内に含まれる限り、本出願のこれらの修正及び変更をカバーすることを意図している。
【図１】
0006479040.tif 000002
【図２】
0006479040.tif 000003
【図３】
0006479040.tif 000004
【図４】
0006479040.tif 000005
【図５】
0006479040.tif 000006
【図６】
0006479040.tif 000007
【図７】
0006479040.tif 000008
【図８】
0006479040.tif 000009
【図９】
0006479040.tif 000010
【図１０】
0006479040.tif 000011